(57)【要約】【課題】基板ボックスの再連結を簡単に行えると共に、不正な制御基板が収容された基板ボックスの製作を困難にできる遊技機を提供すること。【解決手段】基板ボックス２０１は、ベース側封印部２３４と蓋側封印部２５７とが封印部材２６０により連結されて封印され、蓋側結合部２５５と取付側結合部３０６とが結合部材２５９により結合されて取付ベース２０２に取り付けられる。また、基板ボックス２０１には、ベース側返送用封印部２３１と蓋側返送用封印部２５４とが設けられており、結合部材２５９により簡単に再封印できるように構成されている。また、結合部材２５９は、基板ユニット２００に１つしか設けられておらず市場に流通することを抑制できるので、他の基板ボックスに結合部材２５９が使用されることを抑制でき、不正な制御基板が収容される基板ボックスの製作を困難にできる。【選択図】図５
2010233778.tif 000002
【特許請求の範囲】
【請求項１】
遊技の制御を行う制御基板を収容する基板ボックスの内部空間を形成する場合に連結される第１及び第２部材と、
その第１及び第２部材を連結する第１連結部材と、
その第１連結部材とは形状または色の少なくとも一方が異なると共に、前記第１及び第２部材とは異なる部材の組合せを連結する第２連結部材と、
その第２連結部材と同数以下で構成され、前記第２連結部材により前記第１及び第２部材を連結可能な連結手段とを備えていることを特徴とする遊技機。
【請求項２】
遊技の制御を行う制御基板を収容すると共に、その制御基板が収容される内部空間を形成する場合に連結される第１及び第２部材を有する基板ボックスを備えた遊技機において、
前記第１部材と第２部材とを連結する第１連結部材と、
その第１連結部材により前記第１部材と第２部材とが連結された状態の基板ボックスに取り付けられる第３部材と、
その第３部材と前記基板ボックスとを連結すると共に前記第１連結部材とは形状または色の少なくとも一方が異なる第２連結部材と、
その第２連結部材と同数以下で構成され、前記第２連結部材により前記第１及び第２部材とを連結可能な連結手段とを備えていることを特徴とする遊技機。
【請求項３】
前記基板ボックスは、前記第２連結部材が挿入される挿入部と、その挿入部と前記基板ボックス本体との間を橋架すると共に前記第２連結部材による前記第３部材と基板ボックスとの連結を解除する場合に破壊される第１破壊部を備え、
前記第３部材は、前記基板ボックスの挿入部に覆われると共に前記挿入部に挿入された第２連結部材が係止される係止部を備えていることを特徴とする請求項２記載の遊技機。
【請求項４】
前記連結手段は、その連結手段と前記基板ボックス本体との間を橋架すると共に前記第２連結部材による前記第１部材と第２部材との連結を解除する場合に破壊される第２破壊部を備えていることを特徴とする請求項２又は３に記載の遊技機。
【発明の詳細な説明】
【技術分野】
【０００１】
本発明は、スロットマシン等の遊技機に関するものである。
【背景技術】
【０００２】
特開平１０−３１４４１４号公報（以下「特許文献１」と称す）には、ボックス蓋とボックスベースとからなる基板ボックス内に、大当たり抽選などの遊技の制御を行う制御基板を収容した遊技機が開示されている。基板ボックスは、ボックス蓋に設けられる蓋側封印部とボックスベースに設けられるベース側封印部とを封印金具で連結して封印され、少なくとも一方の封印部を破壊しない限り開封できないように構成されている。さらに、基板ボックスには、同形状の予備用封印部が複数設けられており、その予備用封印部内には封印金具が係止されている。よって、制御基板の修理などをメーカーに依頼する場合に、予備用の封印金具により基板ボックスを再封印して郵送することができる。
【先行技術文献】
【特許文献】
【０００３】
【特許文献１】特開平１０−３１４４１４号公報
【発明の概要】
【発明が解決しようとする課題】
【０００４】
上述した通り、制御基板では、大当たり抽選を行っており、その大当たり抽選は遊技者に付与される遊技価値が変化するものなので、不正に大当たりを発生させるプログラムに書き換えられた制御基板が基板ボックス内に収容されていると、ホールに多大な損失が生じるし、遊技者に対して公平な遊技性を提供できない。
【０００５】
上記特許文献１の基板ボックスでは、予備用の封印金具を設けることで基板ボックスの再封印を簡単に行えるように構成しているが、その予備用の封印金具が予備用封印部に係止されているだけなので、蓋側封印部およびベース側封印部を封印する封印金具と同形状の封印金具を簡単に取り出し可能となる。よって、不正な制御基板を収容した基板ボックスの封印に予備用の封印金具が流用された場合には、その封印金具が予備用である否かを判断できないので、不正な制御基板を収容した基板ボックスの発見が困難になるという問題点があった。
【０００６】
本発明は、上記例示した問題点等を解決するためになされたものであり、基板ボックスの再連結を簡単に行えると共に、不正な制御基板が収容された基板ボックスの製作を困難にできる遊技機を提供することを目的としている。
【課題を解決するための手段】
【０００７】
この目的を達成するために請求項１記載の遊技機は、遊技の制御を行う制御基板を収容する基板ボックスの内部空間を形成する場合に連結される第１及び第２部材と、その第１及び第２部材を連結する第１連結部材と、その第１連結部材とは形状または色の少なくとも一方が異なると共に、前記第１及び第２部材とは異なる部材の組合せを連結する第２連結部材と、その第２連結部材と同数以下で構成され、前記第２連結部材により前記第１及び第２部材を連結可能な連結手段とを備えている。
【０００８】
なお、「第１及び第２部材とは異なる部材の組合せ」とは、第１及び第２部材の少なくとも一方を第１及び第２部材とは別の部材とした部材の組合せを意味し、第１又は第２部材のいずれか一方を用いた部材の組合せを含む。また第１連結部材および第２連結部材が「連結する」とは、手作業やドライバ等の工具のみでは痕跡を残すことなく連結状態を解除することができない程度に連結することを意味する。
【０００９】
請求項２記載の遊技機は、遊技の制御を行う制御基板を収容すると共に、その制御基板が収容される内部空間を形成する場合に連結される第１及び第２部材を有する基板ボックスを備えており、前記第１部材と第２部材とを連結する第１連結部材と、その第１連結部材により前記第１部材と第２部材とが連結された状態の基板ボックスに取り付けられる第３部材と、その第３部材と前記基板ボックスとを連結すると共に前記第１連結部材とは形状または色の少なくとも一方が異なる第２連結部材と、その第２連結部材と同数以下で構成され、前記第２連結部材により前記第１及び第２部材とを連結可能な連結手段とを備えている。
【００１０】
請求項３記載の遊技機は、請求項２記載の遊技機において、前記基板ボックスは、前記第２連結部材が挿入される挿入部と、その挿入部と前記基板ボックス本体との間を橋架すると共に前記第２連結部材による前記第３部材と基板ボックスとの連結を解除する場合に破壊される第１破壊部を備え、前記第３部材は、前記基板ボックスの挿入部に覆われると共に前記挿入部に挿入された第２連結部材が係止される係止部を備えている。
【００１１】
請求項４記載の遊技機は、請求項２又は３に記載の遊技機において、前記連結手段は、その連結手段と前記基板ボックス本体との間を橋架すると共に前記第２連結部材による前記第１部材と第２部材との連結を解除する場合に破壊される第２破壊部を備えている。
【発明の効果】
【００１２】
請求項１記載の遊技機によれば、制御基板を収容する内部空間は、第１部材と第２部材とが第１連結部材により連結されて形成され、その第１及び第２部材とは異なる部材の組合せが第２連結部材により連結される。そして、第２連結部材は、第１部材と第２部材とを連結手段を介して連結可能に構成されている。よって、第１連結部材による第１及び第２部材の連結が解除されても、他の部材の組合せを連結していた第２連結部材を使用して基板ボックスを再連結できるので、再連結用の部材を予め準備して遊技機に保管しておく必要も少なくなって予備用部品の配置による基板ボックス内部の視認性低下を抑制したり、部品コスト低減を図ることができる。また、第２連結部材は、第１連結部材とは形状または色の少なくとも一方が異なるので、第２連結部材が第１連結部材として流用されることを防止できるし、第２連結部材と連結手段とは同数以下で構成され余分な第２連結部材が存在しないので、第２連結部材が市場に流通することを抑制できる。よって、不正な制御基板が収容される基板ボックスの第１及び第２部材を連結する場合に、第２連結部材が使用されていれば不正な基板ボックスであることを簡単に発見できるし、第２連結部材が市場に流通して再利用されること自体も抑制できるので、不正な制御基板が収容される第１及び第２部材が製作されることを困難にできる。
【００１３】
なお、第２連結部材は、第１及び第２部材を覆うカバー部材を遊技機本体に対して連結するものとしても良いし、第１連結部材により連結された第１及び第２部材を取り付ける取付ベースを遊技機本体に連結するものとしても良い。どの構成であっても、第１及び第２部材を第２連結部材により再連結できるし、不正な制御基板が収容される第１及び第２部材に第２連結部材が流用されることを抑制できる。
【００１４】
請求項２記載の遊技機によれば、基板ボックスを構成する第１部材と第２部材とは第１連結部材により連結されると共に、基板ボックスと第３部材とは第２連結部材により連結され、その第２連結部材は、第１部材と第２部材とを連結手段を介して連結可能に構成されている。よって、第１連結部材による第１及び第２部材との連結が解除されても、第２連結部材を使用して基板ボックスを再連結できるので、再連結用の部材を予め準備して遊技機に保管しておく必要も少なくなって予備用部品の配置による基板ボックス内部の視認性低下を抑制したり、部品コスト低減を図ることができるという効果がある。また、第２連結部材は、第１連結部材とは形状または色の少なくとも一方が異なるので、第２連結部材が第１連結部材として流用されることを防止できるし、第２連結部材と連結手段とは同数以下で構成され余分な第２連結部材が存在しないので、第２連結部材が市場に流通することを抑制できる。よって、不正な制御基板が収容される基板ボックスの第１及び第２部材を連結する場合に、第２連結部材が使用されていれば不正な基板ボックスであることを発見し易いし、第２連結部材が市場に流通して再利用されること自体も抑制できるので、不正な制御基板が収容される基板ボックスの製作を困難にできる。
【００１５】
なお、第３部材は、基板ボックスを取り付ける取付ベースとしても良いし、基板ボックスを覆うカバー部材としても良いし、遊技機本体であっても良い。どの構成であっても、第１及び第２部材を第２連結部材により再連結できるし、他の基板ボックスに第２連結部材が流用されることを抑制できる。
【００１６】
請求項３記載の遊技機によれば、請求項２記載の遊技機の奏する効果に加え、第２連結部材による第３部材と基板ボックスとの連結は、基板ボックスの第１破壊部を破壊しない限り解除できないと共に、第２連結部材が係止される第３部材の係止部は、基板ボックスの挿入部に覆われるので、係止部への接触を困難にできる。よって、第１破壊部を破壊せずに係止部が破壊されて、基板ボックスと第３部材との連結が痕跡無しに解除されること抑制できる。また、第１破壊部が破壊されていれば、基板ボックスの連結が解除された痕跡を確実に残すことができる。
【００１７】
請求項４記載の遊技機によれば、請求項２又は３に記載の遊技機の奏する効果に加え、第２連結部材による第１部材と第２部材との連結は、基板ボックス本体と連結手段とを橋架する第２破壊部を破壊しない限り解除できないので、第２連結部材による第１及び第２部材の再連結が解除されることを抑制できるし、第２破壊部が破壊されていれば基板ボックスの連結が解除された痕跡を確実に残すことができる。
【図面の簡単な説明】
【００１８】
【図１】一実施形態における前面扉を閉じた状態のスロットマシンの斜視図である。
【図２】前面扉を閉じた状態のスロットマシンの斜視図である。
【図３】筐体の正面図である。
【図４】基板ユニットの分解斜視図である。
【図５】基板ボックスの分解斜視図である。
【図６】取付ベースの分解斜視図である。
【図７】取付ベースが揺動した状態を示した斜視図である。
【図８】結合部材を拡大した斜視図であり、（ａ）は、結合部材が分解された状態の斜視図であり、（ｂ）は、結合部材が結合された状態の斜視図である。
【図９】結合部材により基板ボックスと取付ベースとが結合された状態を示した断面図である。
【図１０】封印部材を拡大した斜視図であり、（ａ）は、封印部材の前面側から視た斜視図であり、（ｂ）は、封印部材を背面側から視た斜視図である。
【図１１】（ａ）は、封印部材により基板ボックスが封印された状態を示した断面図であり、（ｂ）は、図１１（ａ）のＸＩｂ−ＸＩｂ線における封印部材と各封印部との断面図である。
【図１２】封印部材により各封印部が封印された状態を示した部分的な上面図である。
【図１３】封印部材により各封印部が封印された状態の一部を拡大して示した断面図である。
【図１４】スロットマシンの電気的構成を示すブロック図である。
【図１５】主制御装置のＭＰＵにより実行される通常処理を示したフローチャートである。
【図１６】変形例の封印部材を示した上面図である。
【図１７】変形例の封印部材と各封印部との一部を拡大して示した断面図である。
【発明を実施するための形態】
【００１９】
以下、遊技機の一種である回胴式遊技機、具体的にはスロットマシンに適用した場合の一実施形態を、図面に基づいて詳細に説明する。まず、図１〜図３を参照して、スロットマシン１０の構造について説明する。
【００２０】
図１は、スロットマシン１０の前面扉１２を閉じた状態の斜視図であり、図２は、スロットマシン１０の前面扉１２を開いた状態の斜視図であり、図３は、筐体１１の正面図である。なお、図１〜図３において、矢印Ｘは、スロットマシン１０の左右方向を示しており、矢印Ｙは、スロットマシン１０の前後方向を示しており、矢印Ｚは、スロットマシン１０の上下方向を示している。
【００２１】
本実施形態のスロットマシン１０は、遊技者がメダル投入口４５から遊技媒体であるメダルを投入して、スタートレバー４１を操作することで複数の図柄が付された３つのリール３２Ｌ，３２Ｍ，３２Ｒが回転駆動し、その後、各リール３２Ｌ，３２Ｍ，３２Ｒに対応して設けられたストップスイッチ４２，４３，４４を遊技者が操作することで対応するリール３２Ｌ，３２Ｍ，３２Ｒが停止し、そのリール３２Ｌ，３２Ｍ，３２Ｒが停止することで表示される図柄の組み合わせが予め定めた組み合わせであった場合に、所定数のメダルを付与する特典や遊技状態に移行する特典を遊技者に付与するものである。
【００２２】
図１に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。尚、筐体１１は木製のパネルによって構成する以外に、合成樹脂製パネル又は金属製パネルによって構成してもよいし、合成樹脂材料又は金属材料によって一体の箱状に形成することによって構成してもよい。
【００２３】
筐体１１の前面側には、前面扉１２が開閉可能に取り付けられている。前面扉１２には、筐体１１の正面から見て左側部（図１矢印Ｘ左奥側の端部）に設けられる上下一対の支軸１３ａ，１３ｂ（図２参照）に対応する軸受部１４ａ，１４ｂ（図２参照）が設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができる。
【００２４】
また、前面扉１２の開閉軸の反対側（図１矢印Ｘ右手前側の端部）には、その裏面に施錠装置２０（図２参照）が設けられ、前面扉１２は、その施錠装置２０によって開放不能な施錠状態とされる。前面扉１２の右端側中段部には、施錠装置２０と一体化されたキーシリンダ２１が設けられており、キーシリンダ２１に対する所定のキー操作によって前記施錠状態が解除されるように構成されている。なお、本実施形態では、キーシリンダ２１として、不正解錠防止機能の高いオムロック（登録商標）が用いられている。
【００２５】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００２６】
遊技パネル２５の下方左側には、各リール３２Ｌ，３２Ｍ，３２Ｒ（図２参照）の回転を開始させるために操作されるスタートレバー４１が設けられている。スタートレバー４１は、遊技者が遊技（ゲーム）を開始するときに手で押し操作（押される方向は限定されない）するレバーであり、所定数のメダルが投入されている状態でスタートレバー４１が操作されると、各リール３２Ｌ，３２Ｍ，３２Ｒの回転が一斉に（但し、同時である必要はない）開始されるようになっている。
【００２７】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。
【００２８】
このとき、本スロットマシン１０では、ストップスイッチ４２〜４４が操作された場合に基点位置（本実施形態では、対応する表示窓２６Ｌ，２６Ｍ，２６Ｒそれぞれの下段位置）に到達している到達図柄をそのまま停止させる停止態様だけでなく、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンが用意されている。これにより、ストップスイッチ４２〜４４が操作されたタイミングから規定時間（１９０ｍｓｅｃ）が経過するまでの間に各リール３２Ｌ，３２Ｍ，３２Ｒが所定の停止態様で停止するように設定することにより、表示窓２６Ｌ，２６Ｍ，２６Ｒから視認可能な範囲に停止する図柄配列（以下、停止出目とも言う。）があたかも遊技者の操作によって決定されたかのような印象を遊技者に抱かせることができる。
【００２９】
表示窓２６Ｌ，２６Ｍ，２６Ｒの下方右側には、メダルを投入するためのメダル投入口４５が設けられている。メダル投入口４５から投入されたメダルは、前面扉１２の背面に設けられた通路切替手段としてのセレクタ４６（図２参照）によって貯留用通路４７（図２参照）か排出用通路４８（図２参照）のいずれかへ導かれる。より詳しくは、セレクタ４６にはメダル通路切替ソレノイド４６ａ（図２参照）が設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１（図２参照）へと導かれる。一方、排出用通路４８に導かれたメダルは、前面扉１２の前面下部に設けられたメダル排出口４９からメダル受け皿５０へと導かれ、遊技者に返還される。
【００３０】
メダル投入口４５の下方には、ボタン状の返却スイッチ５５が設けられている。メダル投入口４５に投入されたメダルがセレクタ４６内に詰まった状況下で返却スイッチ５５が操作された場合、セレクタ４６が機械的に連動して動作され、当該セレクタ４６内に詰まったメダルがメダル排出口４９から返却されるようになっている。
【００３１】
スタートレバー４１の左方には、精算スイッチ５８が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５８が操作された場合、仮想メダルが現実のメダルとしてメダル排出口４９から払い出されるようになっている。
【００３２】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７が設けられている。この第２クレジット投入スイッチ５７は、仮想メダルを一度に１枚投入するためのものである。
【００３３】
遊技パネル２５の表示窓２６Ｌ，２６Ｍ，２６Ｒ下方には、クレジットされている仮想メダル数を表示するクレジット表示部６０と、ボーナス状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、遊技パネル２５を液晶表示装置で構成して代替することは当然可能である。さらに、遊技パネル２５を液晶表示装置で構成した場合には、リール３２Ｌ，３２Ｍ，３２Ｒの表示を代替することも当然可能である。
【００３４】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えれるため、本実施形態では補助表示部６５と称している。補助表示部６５の背面には、上部ランプ６３やスピーカ６４、補助表示部６５を駆動させるための表示制御装置８１（図２参照）が設けられている。
【００３５】
メダル受け皿５０の上方には、機種名や遊技に関わるキャラクタなどが表示された下段
プレート６６が装着されている。また、メダル受け皿５０の左方には、手前側下方に反転
可能な灰皿６９が設けられている。さらに、メダル受け皿５０の奥方には、遊技者に遊技状態を報知したりする左右一対のスピーカ６４が設けられている。
【００３６】
図２に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００３７】
ここで、リールユニット３１の構成を簡単に説明する。各リール３２Ｌ，３２Ｍ，３２Ｒは、それぞれがステッピングモータ（図示せず）に連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサ（図示せず）が各リール３２Ｌ，３２Ｍ，３２Ｒに設置されている。そして、リールインデックスセンサからは、リールが１回転したことを検出した場合、その検出の都度、主制御装置１０１（図３参照）に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００３８】
各リール３２Ｌ，３２Ｍ，３２Ｒの外周面には、その長辺方向（周回方向）に、識別情報としての図柄が複数個描かれている。複数の図柄は、各リール３２Ｌ，３２Ｍ，３２Ｒ毎に、２１個の図柄が等間隔に描かれており、そのうち連続する３個の図柄が表示窓２６Ｌ，２６Ｍ，２６Ｒの上段、中段、下段の位置にそれぞれ視認可能に構成されている。このため、所定の位置にある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００３９】
また、図柄が停止した場合の有効ラインとしては、左リール３２Ｌの上段図柄、中リール３２Ｍの上段図柄、右リール３２Ｒの上段図柄を結んだ上ラインＬ１と、左リール３２Ｌの中段図柄、中リール３２Ｍの中段図柄、右リール３２Ｒの中段図柄を結んだ中ラインＬ２と、左リール３２Ｌの下段図柄、中リール３２Ｍの下段図柄、右リール３２Ｒの下段図柄を結んだ下ラインＬ３と、左リール３２Ｌの上段図柄、中リール３２Ｍの中段図柄、右リール３２Ｒの下段図柄を結んだ右下がりラインＬ４と、左リール３２Ｌの下段図柄、中リール３２Ｍの中段図柄、右リール３２Ｒの上段図柄を結んだ右上がりラインＬ５が設定されている。そして、有効化された組合せライン、すなわち有効ライン上に図柄が所定の組合せで停止した場合には、入賞成立として、メダルが所定数払い出される特典が付与されたり、遊技状態が移行される特典が付与されたりするようになっている。
【００４０】
尚、最大組合せライン数を６以上としてもよく、５未満としてもよい。また、所定条件に応じて最大組合せライン数を変更するようにしてもよい。例えば、Ｖ（逆Ｖ）字状のラインとしたり、Ｌ字状のラインなどを有効にしてもよい。
【００４１】
また、有効ライン上に図柄が並んだ場合に移行する遊技状態としては、左から「７」図柄、「７」図柄、「７」図柄と並んで停止した場合のＢＢ入賞や、有効ライン上に左から「スイカ」図柄、「スイカ」図柄、「スイカ」図柄と並んで停止した場合はスイカ入賞が成立し、有効ライン上に左から「ベル」図柄、「ベル」図柄、「ベル」図柄と並んで停止した場合はベル入賞、有効ライン上に左から「リプレイ」図柄、「リプレイ」、図柄「リプレイ」図柄と並んで停止した場合のリプレイ入賞などが例示される。
【００４２】
ホッパ装置５１は、メダルを貯留する貯留タンク５２と、メダルを遊技者に払い出す払出装置５３とにより構成されている。払出装置５３は、図示しないメダル払出用回転板を回転させることにより、排出用通路４８に設けられた開口４８ａへメダルを排出し、排出用通路４８を介してメダル受け皿５０（図１参照）へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００４３】
筐体１１の内部においてホッパ装置５１の左方には、電源ボックス７０が設けられている。電源ボックス７０は、その内部に電源装置９１（図１４参照）を収容するとともに、電源スイッチ７１などを備えている。電源スイッチ７１は、後述する主制御装置１０１を始めとする各部に電源を供給するための起動スイッチである。
【００４４】
図３に示すように、リールユニット３１の上方には、遊技を統括管理する主制御装置１０１が筐体１１に取り付けられている。詳細については後述するが、主制御装置１０１は、主たる制御を司るＭＰＵ（Ｍｉｃｒｏ  Ｐｒｏｃｅｓｓｉｎｇ  Ｕｎｉｔ）１０２、遊技プログラムを記憶したＲＯＭ（Ｒｅａｄ  Ｏｎｌｙ  Ｍｅｍｏｒｙ）１０５、遊技の進行に応じた必要なデータを一時的に記憶するＲＡＭ（Ｒａｎｄｏｍ  Ａｃｃｅｓｓ  Ｍｅｍｏｒｙ）１０６、乱数を発生するフリーランカウンタ１０７、各種機器との連絡をとるポート１０４、時間計数や同期を図る場合などに使用されるクロック回路１０３等を含む主基板２１３（図５参照）を具備しており、主基板２１３が透明樹脂材料等よりなる基板ボックス２０１に収容されて構成されている。
【００４５】
次に、図４〜図１３を参照して、基板ユニット２００について説明する。まず、図４〜図７を参照して、基板ユニット２００を構成する基板ボックス２０１及び取付ベース２０２の構造について説明する。図４は、基板ユニット２００の分解斜視図であり、図５は、基板ボックス２０１の分解斜視図であり、図６は、取付ベース２０２の分解斜視図であり、図７は、取付ベース２０２が揺動した状態を示した斜視図である。なお、図４〜図７において、矢印Ｘ，Ｙ，Ｚ方向は、基板ユニット２００が筐体１１に取り付けられた状態における基板ユニット２００の左右，前後，上下方向を示している。
【００４６】
図４に示すように、基板ユニット２００は、主基板２１３（図５参照）が収容される基板ボックス２０１と、その基板ボックス２０１が取り付けられると共に筐体１１（図１参照）に取り付けられる取付ベース２０２とで構成されている。なお、基板ボックス２０１は、取付ベース２０２に対して矢印Ａ方向にスライド移動して取り付けられると共に反矢印Ａ方向にスライド移動して取り外され、取付ベース２０２は、後述するが、下端部（矢印Ｚ方向の下側端部）を回転軸として、基板ボックス２０１を前面扉１２（図１参照）側に揺動可能に構成されているので、筐体１１に固定された状態での基板ボックス２０１の取り外しをスムーズに行えメンテナンス作業の作業性を向上できるように構成されている。
【００４７】
図５に示すように、基板ボックス２０１（図４参照）は、主に、基板ボックス２０１の背面側を形成するボックスベース２１１（矢印Ｙ方向右奥側）と、基板ボックス２０１の前面側（矢印Ｙ方向左手前側）を形成するボックス蓋２１２と、基板ボックス２０１内に収容される主基板２１３と、その主基板２１３と外部とを電気的に接続するコネクタ２７１を覆うコネクタカバー２１４とを主に有して構成されている。
【００４８】
ボックスベース２１１は、そのボックスベース２１１の背面側を形成する背面部２２１と、その背面部２２１からボックス蓋２１２側に立設される４つの側壁部２２２〜２２５と、背面部２２１のほぼ全体に格子状に立設されるリブ２２６とを有して構成されている。側壁部２２２〜２２５は、ボックスベース２１１の上端（矢印Ｚ方向上側）が側壁部２２２であり、左端（矢印Ｘ方向左奥側）が側壁部２２３であり、右端（Ｘ方向右手前側）が側壁部２２４であり、下端（矢印Ｚ方向下側）が側壁部２２５である。なお、リブ２２６は、背面部２２１のほぼ全体に設けられているので、ボックスベース２１１の強度を保つと共にボックスベース２１１の耐捻れ特性（又は耐撓み特性）を向上できる。
【００４９】
側壁部２２２には、ボックス蓋２１２側（矢印Ｙ方向左手前側）に突出する２本の突出片２２７と、その突出片２２７より反ボックス蓋２１２側（矢印Ｙ方向右奥側）で且つボックスベース２１１の左右方向（矢印Ｘ方向）に３つ形成される矩形形状の貫通孔２２８と、その貫通孔２２８より反ボックス蓋２１２側で且つボックスベース２１１の左右方向に４つ形成される矩形形状の貫通孔２２９とが設けられている。
【００５０】
突出片２２７は、ボックスベース２１１とボックス蓋２１２とがスライド移動して基板ボックス２０１が製作される場合に、ボックス蓋２１２の凹部２５１に当接してボックス蓋２１２のスライド移動を規制する。ボックス蓋２１２の凹部２５１に突出片２２７が当接した状態においては突出片２２７と凹部２５１とによって平面状の部位が形成され、この部位には、貼付後に引き剥がされても元位置に文字が残存する封印シール（図示せず）が貼付される。
【００５１】
貫通孔２２８は、基板ボックス２０１が製作された状態で、ボックス蓋２１２の突出片２５２が貫挿される孔であり、貫通孔２２８に突出片２５２が貫挿されると、ボックスベース２１１とボックス蓋２１２との離反する方向（矢印Ｙ方向）への移動を規制できるし、左右方向に３つ設けられているのでボックスベース２１１及びボックス蓋２１２の捻れや撓みも規制できる。よって、ボックスベース２１１とボックス蓋２１２との隙間から針金や薄板状の工具などが挿入され、主基板２１３の配線パターンが変更されたり、不正な制御回路が接続されたりする不正行為の発生を抑制できる。
【００５２】
ここで、貫通孔２２８は、必ずしも３つ設ける必要はなく、１又は２以上のいずれの数にしても良いが、複数設けることが好ましい。１つの穴で形成する場合に比べて各穴の長さを短くすることができるので、各穴の撓み幅を規制することができる。また、側壁部２２２の横幅方向のほぼ全域に亘る長さの突出片２５２が設けられて貫通孔２２８に貫挿されているので、この貫挿部分がボックスベース２１１とボックス蓋２１２との結合構造から離れた位置に設けられてもボックスベース２１１とボックス蓋２１２の取り外しをより確実に規制することができる。
【００５３】
また、貫通孔２２９は、取付ベース２０２（図４参照）に基板ボックス２０１が取り付けられた場合に、取付ベース２０２の突出片３０７（図６参照）が貫挿される孔であり、貫通孔２２９に突出片３０７が貫挿されると、取付ベース２０２と基板ボックス２０１との離反する方向（矢印Ｙ方向）への移動を規制できるし、左右方向に４つ設けられているので、基板ボックス２０１及び取付ベース２０２の捻れや撓みも規制できる。よって、基板ボックス２０１を手前側に無理に取り外そうとしても、基板ボックス２０１が取付ベース２０２から取り外されることを抑制できる。
【００５４】
側壁部２２３，２２４には、ボックスベース２１１の上下方向（矢印Ｚ方向）の所定間隔毎に、略Ｌ字状のベース側係止部２３０がそれぞれ４個づつ設けられている。ベース側係止部２３０は、背面部２２１との間に通路２３０ａを形成しており、この通路２３０ａ内にボックス蓋２１２の蓋側係止部２５３が挿入されると、ボックス蓋２１２とボックスベース２１１との離反する方向への移動を規制できるし、ボックスベース２１１及びボックス蓋２１２の捻れや撓みも規制できる。つまり、各係止部２３０，２５３によっても、主基板２１３に対する不正行為の発生を抑制できる。
【００５５】
側壁部２２５には、ボックスベース２１１の左右方向の中央に、基板ボックス２０１の返送時にボックスベース２１１とボックス蓋２１２とを封印するベース側返送用封印部２３１と、そのベース側返送用封印部２３１の左右両側にそれぞれ２つずつ設けられると共にボックス蓋２１２の蓋側結合部２５５が進入する切り欠き２３２と、その切り欠き２３２の左右両側に設けられると共にボックスベース２１１とボックス蓋２１２とを螺着する螺子（図示せず）が挿入される螺子挿入部２３３と、その螺子挿入部２３３の左右両側にそれぞれ設けられると共にボックスベース２１１とボックス蓋２１２とを封印する封印部材２６０が挿入されるベース側封印部２３４とが設けられている。
【００５６】
ボックス蓋２１２は、そのボックス蓋２１２の前面側を形成する前面部２４１と、その前面部２４１からボックスベース２１１側（矢印Ｙ方向右奥側）に立設される４つの側壁部２４２〜２４５と、前面部２４１のほぼ中央に設けられ機種情報やボックス蓋２１２とボックスベース２１１の封印履歴及び基板ボックス２０１と取付ベースの２０２の封印履歴などが印されたシールが貼付されるシール貼付部２４６と、前面部２４１の右側上部（矢印Ｘ方向右手前側で且つ矢印Ｚ方向上側）に穿設されると共にリセットスイッチ７２及びキーシリンダ７３が露出される露出孔２４７，２４８と、その露出孔２４７，２４８を覆うカバー２４７ａ，２４８ａと、コネクタ２７１が露出する開口２４９と、コネクタカバー２１４を固定する固定部２５０ａ，２５０ｂとを主に有して構成されている。なお、カバー２４７ａ，２４８ａを備えることで、リセットスイッチ７２およびキーシリンダ７３に対する誤操作を抑制できる。
【００５７】
側壁部２４２には、ボックス蓋２１２の左右方向のほぼ中央に形成されると共にボックスベース２１１の突出片２２７に当接する凹状の２つの凹部２５１と、その凹部２５１よりボックスベース２１１側（矢印Ｙ方向右奥側）に３つ設けられると共にボックスベース２１１の貫通孔２２８に貫挿する突出片２５２とが設けられている。
【００５８】
側壁部２４３，２４４には、ボックス蓋２１２の上下方向（矢印Ｚ方向）の所定間隔毎に、略Ｌ字状の蓋側係止部２５３がそれぞれ４つ設けられている。蓋側係止部２５３は、前面部２４１との間に通路２５３ａを形成しており、この通路２５３ａ内にボックスベース２１１のベース側係止部２３０が挿入され、上述した通り、ボックス蓋２１２とボックスベース２１１との離反する方向への移動および捻れが規制される。
【００５９】
なお、基板ボックス２０１は、ボックスベース２１１とボックス蓋２１２とを相対的にスライド移動させて合致させることで製作される。基板ボックス２０１の製作は、まず、ボックス蓋２１２に主基板２１３を取り付け、その後、蓋側係止部２５３とベース側係止部２３０とが重ならないようにボックスベース２１１とボックス蓋２１２とを合わせ、蓋側係止部２５３が通路２３０ａ内に挿入すると共にベース側係止部２３０が通路２５３ａ内に挿入するようにボックス蓋２１２（又はボックスベース２１１）を矢印Ｚ方向上側（又は矢印Ｚ方向下側）にスライド移動させる。ボックスベース２１１とボックス蓋２１２とのスライド移動は、上述した通り、突出片２２７と凹部２５１により規制される。
【００６０】
側壁部２４５には、ボックス蓋２１２の左右方向の中央に、基板ボックス２０１の返送時にボックスベース２１１とボックス蓋２１２とを封印する蓋側返送用封印部２５４と、その蓋側返送用封印部２５４の左右両側にそれぞれ２つずつ設けられると共に基板ボックス２０１と取付ベース２０２とを結合する結合部材２５９が挿入される蓋側結合部２５５と、その蓋側結合部２５５の左右両側にそれぞれ設けられると共にボックスベース２１１とボックス蓋２１２とを螺着する螺子（図示せず）が螺着される螺子溝２５６と、その螺子溝２５６の左右両側にそれぞれ設けられると共にボックスベース２１１とボックス蓋２１２とを封印する封印部材２６０が挿入される蓋側封印部２５７と、蓋側結合部２５５が配設される領域に対応して側壁部２４５から下方（矢印Ｚ方向下側）に突出した突出片２５８とが設けられている。
【００６１】
なお、後述するが、結合部材２５９は、基板ボックス２０１と取付ベース２０２とを結合すると共にボックスベース２１１とボックス蓋２１２とを再封印するものであり、封印部材２６０は、ボックスベース２１１とボックス蓋２１２を封印するものである。
【００６２】
主基板２１３には、図示しない各種電子部品の他に、スロットマシン１０の状態をリセットするリセットスイッチ７２と、スロットマシン１０の設定を変更する設定キーが挿入されるキーシリンダ７３と、外部との電気的接続を行うコネクタ２７１などが搭載されている。この主基板２１３は、螺子２７２によりボックス蓋２１２側に固着され、コネクタ２７１は、ボックス蓋２１２の開口２４９から外部に露出される。
【００６３】
リセットスイッチ７２は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ７２を押しながら電源スイッチ７１をオンすると、バックアップデータがリセット（初期化）されるようになっている。また、電源スイッチ７１（図２参照）がオンされている状態でリセットスイッチ７２を押した場合には、エラー状態がリセットされる。
【００６４】
キーシリンダ７３は、設定キーが挿入されて操作されることで、ホール管理者などがメダルの出玉調整を行うことができる。すなわち、ホール管理者等が設定キーをキーシリンダ７３へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ７２は、エラー状態をリセットする場合の他に、スロットマシン１０の設定状態を変更する場合にも操作される。
【００６５】
コネクタカバー２１４は、開口２４９から露出したコネクタ２７１を覆うものである。コネクタカバー２１４は、ボックス蓋２１２の固定部２５０ｂに一端を差し込みつつボックス蓋２１２側に回動させて固定部２５０ａにより係止されることで、ボックス蓋２１２に固定されるように構成されている。
【００６６】
また、コネクタカバー２１４には、左右方向に貫通した貫通孔２７３が形成されており、コネクタカバー２１４がボックス蓋２１２に固定された状態では、貫通孔２７３により固定部２５０ａの突起部の下方を通る通路が形成される。よって、ボックス蓋２１２にコネクタカバー２１４が固定された状態で、貫通孔２７３にバンドなどを通して結ぶと、コネクタカバー２１４が取り外される（又は衝撃で外れてしまう）ことを抑制できる。なお、コネクタカバー２１４を取り外すためには、バンドを切断しなければならないので、その分の作業が増えることから不正にコネクタカバー２１４が取り外されることを抑制できる。
【００６７】
図６に示すように、取付ベース２０２は、筐体１１（図２参照）側に固定される固定ベース２８１と、その固定ベース２８１に揺動可能に軸着される揺動ベース２８２と、その揺動ベース２８２に固定されると共に固定ベース２８１に揺動可能に軸着される補強部材２８３とを有して構成されている。
【００６８】
固定ベース２８１は、本実施形態では、金属材料で構成されており、固定ベース２８１の背面側（矢印Ｙ方向右奥側）を形成する背面部２９１と、その背面部２９１の下端（矢印Ｚ方向下側）に立設される立壁部２９２と、固定ベース２８１の左右方向（矢印Ｘ方向）のほぼ真ん中で且つ立壁部２９２近傍に形成される凹状の凹部２９３と、背面部２９１の左右両側から揺動ベース２８２側（矢印Ｙ方向左手前側）に突出すると共に揺動ベース２８２を係止可能な係止爪２９４と、立壁部２９２の左右両端に形成されると共に軸２９５が挿入される挿入孔２９６とを有して構成されている。なお、固定ベース２８１は金属材料で構成されるものとしたが、揺動ベース２８２や基板ボックス２０１より硬化な材料であれば、樹脂材料であっても木製であっても良い。また、揺動ベース２８２や基板ボックス２０１より軟化な材料であっても、材料の厚さや形状などで一定以上の強度があればよい。例えば、基板ボックス２０１と同一材料であっても基板ボックス２０１の厚さに比べて２倍以上の厚みを有している場合などが例示される。すなわち、固定ベース２８１に補強する部材を取り付けない場合と比して、固定ベース２８１が撓まなくなっていれば補強部材に相当する。
【００６９】
揺動ベース２８２は、その揺動ベース２８２の背面側を形成する背面部３０１と、その背面部３０１の左右両側（矢印Ｘ方向両側）に反固定ベース２８１側（矢印Ｙ方向手前側）に立設される側壁部３０２，３０３と、背面部３０１の下側に反固定ベース２８１側に立設される側壁部３０４と、側壁部３０２〜３０４に囲まれた領域の開口３０５とを主に有して構成されている。開口３０５は、基板ボックス２０１がスライド移動して取り付けられる場合の出入口である。また、揺動ベースは透明な樹脂を基本に形成されており、基板ボックスの背面や基板の背面を視認することができる。
【００７０】
背面部３０１には、揺動ベース２８２の左右方向のほぼ真ん中で且つ側壁部３０４近傍に形成されると共に結合部材２５９（図５参照）が係止される４つの取付側結合部３０６と、背面部３０１の上端から更に上方（矢印Ｚ方向上側）に突出すると共にボックスベース２１１の貫通孔２２９（図５参照）に貫挿される４つの突出片３０７と、その突出片３０７の間に設けられると共に基板ボックス２０１をロックするロック部３０８とが設けられている。なお、取付側結合部材３０６は、背面部３０１の固定ベース２８１側と補強部材２８３側との両側（矢印Ｙ方向両側）に凸形状に形成されており、固定ベース２８１の凹部２９３内に収容されるように構成されている。よって、取付側結合部３０６を金属製の固定ベース２８１で覆うことで、取付側結合部３０６が不正に破壊されることを抑制できる。
【００７１】
両側壁部３０２，３０３の補強部材２８３側（矢印Ｙ方向左手前側）には、互いに向き合う内側方向に突出した押さえ片３０９が設けられている。この押さえ片３０９は、基板ボックス２０１が取付ベース２０２に取り付けられた状態で、その基板ボックス２０１が取付ベース２０２から離反する方向に移動することを規制する部材である。また、側壁部３０３には、基板ボックス２０１を螺子止めするための螺子挿入部３１０も設けられている。よって、基板ボックス２０１を前面側に無理に取り外そうとしても、螺子挿入部３１０に挿入される螺子により取り外しを抑制できるし、押さえ片３０９によっても取り外しを抑制できる。
【００７２】
側壁部３０４には、揺動ベース２８２の左右方向のほぼ中央に形成されると共にボックス蓋２１２の突出部２５８（図５参照）が貫挿される貫通孔３１１と、左右方向の両端に形成されると共に軸２９５により固定ベース２８１に対して揺動ベース２８２を軸着する軸着部３１２とが設けられている。また、側壁部３０４には、左右方向の両端に規制部３１３が設けられており、その規制部３１３が固定ベース２８１の立壁部２９２に当接することにより、揺動ベース２８２の揺動範囲が固定ベース２８１に対して鋭角となるように構成されている。
【００７３】
また、取付側結合部３０６の左右両側には、側壁部３０４から背面部３０１に亘って切り欠き３１４が形成され、その切り欠き３１４の上端、即ち、切り欠き３１４の背面部３０１の上側（矢印Ｚ方向上側）に位置する端部には、螺子溝を有する螺着部３１５が形成されている。螺着部３１５は、補強部材２８３を揺動ベース２８２に対して固定する場合に螺子（図示せず）が螺着される部分である。
【００７４】
補強部材２８３は、本実施形態では、金属材料により略Ｌ字状に形成されている。補強部材２８３は、揺動ベース２８２の背面部３０１に当接する背面板３２１と、その背面板３２１の左右方向（矢印Ｘ方向）の中央に形成されると共に揺動ベース２８２の取付側結合部３０６を囲む貫通孔３２２と、その貫通孔３２２の左右両側に形成されると共に揺動ベース２８２の螺着部３１５に対して螺子止めされる螺子止め部３２３と、揺動ベース２８２の側壁部３０４に当接する側壁板３２４と、その側壁板３２４のほぼ中央に形成されると共にボックス蓋２１２の突出部２５８（図５参照）が貫挿される貫通孔３２５と、側壁板３２４の左右両端に形成されると共に軸２９５が挿入される挿入孔３２６とを有して構成されている。なお、挿入孔３２６は、揺動ベース２８２の軸着部３１２と固定ベース２８１の挿入孔２９６との間に位置するので、樹脂材料で構成される揺動ベース２８２の補強部材としても作用する。
【００７５】
補強部材２８３は、主に、揺動ベース２８２の揺動時の補強と、取付側結合部３０６の破壊を抑制するための補強との目的で設けられている。よって、補強部材２８３は、固定ベース２８１及び揺動ベース２８２の下端側に配設する必要が生じる。そして、取付側結合部３０６は、基板ボックス２０１の挿入方向先端側に配設されているので、揺動ベース２８２の揺動時の補強と取付側結合部３０６の補強との両方の補強を、固定ベース２８１及び揺動ベース２８２の下端側で行うことができる。従って、補強部材２８３の大きさ（面積）を小さくしつつ、揺動ベース２８２の揺動時の補強と取付側結合部３０６の補強とを行うことができ、コスト低減を図ることができる。
【００７６】
また、基板ボックス２０１の挿入方向後端側は、基板ボックス２０１を挿入することから操作者による操作がし易い位置となる場合が多い。そこで、取付側結合部３０６が、基板ボックス２０１の挿入方向後端側に配設されていると、蓋側結合部２５５（図５参照）及び取付側結合部３０６も操作し易い位置になってしまうので、蓋側結合部２５５及び取付側結合部３０６が不正に破壊される可能性も高くなる。しかしながら、取付側結合部３０６は、基板ボックス２０１の挿入方向先端側に配設しているので、不正行為者により蓋側結合部２５５及び取付側結合部３０６が簡単に操作されることを抑制できる。
また、取付側結合部３０６の周辺部を抉って結合部材２５９を抜こうとした場合を考慮して取付側結合部２０６が基板ボックス２０１の挿入方向先端側に配設されている。結合部材２５９を抜くために必要な揺動ベース２８２の撓み幅は、取付側結合部３０６が基板ボックス２０１の挿入方向後端側に配設されている場合より挿入方向先端側に配設されている場合のほうが多くなるので、不正行為者は不正を行いにくくなる。また撓み量が多いほど揺動ベース２８２が破壊される可能性が高くなるので、不正行為があったことを発見し易くすることができる。また、補強部材２８３は、揺動ベース２８２の左右方向のほぼ全域に亘って設けられているので、揺動ベース２８２の捻れや撓みも抑制できる。よって、揺動ベース２８２が捻られたり撓まされて、取付側結合部３０６の結合部材２５９との結合が、取付側結合部３０６を破壊せずに解除されることを抑制できる。また、取付側結合部３０６近傍のみが破壊されて基板ボックス２０１が取り外され、その後、基板ボックス２０１が取り付けられると、前面側からは基板ボックス２０１が取り外されたか否かの確認が困難となる。しかしながら、補強部材２８３により取付側結合部３０６は囲まれているので、揺動ベース２８２を撓ませて取付側結合部３０６のみを破壊することはできない。よって、基板ボックス２０１が不正に取り外されることを抑制することができる。また、補強部材２８３は、揺動ベース２８２の左右方向のほぼ全域に亘って設けられているので、各封印部２３４，２５７（図５参照）の背面側も覆うことができる。よって、封印部材２６０（図５参照）及び各封印部２３４，２５７への背面側からの接触を抑制できるので、封印部材２６０による各封印部２３４，２５７の封印状態が不正に解除されることも抑制できる。
【００７７】
また、補強部材２８３及び取付側結合部３０６は、取付ベース２０２に基板ボックス２０１が取り付けられた状態になると、基板ボックス２０１により覆われる。よって、補強部材２８３及び取付側結合部３０６への直接的な接触を抑制できるので、補強部材２８３が不正に取り外されたり、取付側結合部３０６が不正に破壊されることを抑制できる。
【００７８】
なお、取付ベース２０２の組み付けは、まず、揺動ベース２８２に補強部材２８３を嵌め合わせた後に、揺動ベース２８２の背面側の下方から（図６の矢印Ｂで示す方向から）螺子を螺入して、揺動ベース２８２と補強部材２８３とを固定する。そして、揺動ベース２８２と補強部材２８３とが一体となった状態で、軸２９５を、固定ベース２８１の挿入孔２９６及び補強部材２８３の挿入孔３２６に通し、揺動ベース２８２の軸着部３１２に軸着して行われる。
【００７９】
図７に示すように、取付ベース２０２は、固定ベース２８１、揺動ベース２８２及び補強部材２８３が組み付けられると、固定ベース２８１に対して揺動ベース２８２が揺動する範囲が規制されている。揺動ベース２８２の揺動範囲は、矢印Ｃで示す範囲であり、固定ベース２８１に対して鋭角となる範囲である。そして、揺動ベース２８２と補強部材２８３との固定は、揺動ベース２８２の背面下方から螺子を挿入して行うので、固定ベース２８１と揺動ベース２８２との間にドライバーなどの工具を入れることができず、補強部材２８３を取り外すことを抑制することができる。よって、取付側結合部３０６を囲む補強部材２８３の取り外しを抑制できるので、取付側結合部３０６が破壊されて、不正に基板ボックス２０１が取付ベース２０２から取り外されることを抑制できる。
【００８０】
次に、図８及び図９を参照して、結合部材２５９及び各結合部２５５，３０６について説明する。図８は、結合部材２５９を拡大した斜視図であり、図８（ａ）は、結合部材２５９が分解された状態の斜視図であり、図８（ｂ）は、結合部材２５９が結合された状態の斜視図である。図９は、結合部材２５９により基板ボックス２０１と取付ベース２０２とが結合された状態を示した断面図である。
【００８１】
図８（ａ）に示すように、結合部材２５９は、略筒状に形成される筒部材３３１と、その筒部材３３１に内挿される内挿部材３３２とで構成されている。なお、以下の説明では、紙面垂直方向視において左手前側を前面側と称し、右奥側を背面側と称す。
【００８２】
筒部材３３１には、前面側に位置する第１筒部３４１と、その第１筒部３４１の背面側に連接されると共に第１筒部３４１の外径より小さな外径となる第２筒部３４２と、第１筒部３４１の前面側の端部から第２筒部３４２側に亘って延設されると共に蓋側結合部２５５に設けられる蓋側挿入溝４０１（図９参照）に挿入される筒側挿入突起３４３と、第１筒部３４１の前面側の端部から第２筒部３４２側に亘って形成されると共に内挿部材３３２の内挿側挿入突起３５４が挿入される第１切り欠き３４４と、第２筒部３４２の背面側の端部で且つ筒側挿入突起３４３及び第１切り欠き３４４の延設線上に位置する第２切り欠き３４５と、その第２切り欠き３４５に対して第２筒部３４２の外周方向に９０度ずれた位置に形成される筒側係止部３４６とが設けられている。
【００８３】
筒側係止部３４６は、第２筒部３４２の外周に形成される第３切り欠き３４７内に揺動可能に配設されており、具体的には、第３切り欠き３４７の前面側の端部に連結されると共に背面側に延設される揺動部３４８と、その揺動部３４８の背面側端部に形成されると共に取付ベース２０２の取付側結合部３０６（図９参照）に係止される係止爪３４９と、その係止爪３４９の背面側に設けられるテーパ面３５０と、係止爪３４９の前面側に設けられる係止面３５１とで構成されている。
【００８４】
筒部材３３１と取付結合部３０６との結合は、筒部材３３１の筒側挿入突起３４３を蓋側結合部２５５の蓋側挿入溝４０１内に挿入しつつ筒部材３３１を取付側結合部３０６側へ押し込むことで行われる。筒部材３３１が取付側結合部３０６側に押し込まれると、まず、テーパ面３５０が取付側結合部３０６と当接し、更に筒部材３３１が押し込まれると、取付側結合部３０６により係止爪３４９が筒部材３３１の軸心方向へ押されて筒部材３３１の挿入が行われる。そして、筒部材３３１が取り付け位置まで達すると、係止爪３４９が揺動部３４８により押し戻され、係止爪３４９と取付側結合部３０６との結合が行われる。この際に、係止爪３４９の係止面３５１により筒部材３３１の引き抜きが防止される。
【００８５】
内挿部材３３２には、前面側に位置する第１内挿部３５２と、その第２内挿部３５３の背面側に連結されると共に第１内挿部３５２の外径より小さな外径に形成される第２内挿部３５３と、第１内挿部３５２の前面側端部から第２内挿部３５３側に亘って延設されると共に筒部材３３１の第１切り欠き３４４に挿入される内挿側挿入突起３５４と、第２内挿部３５３から背面側に突出する内挿側係止部３５５とが設けられている。
【００８６】
内挿側係止部３５５は、第２内挿部３５２の背面側の端部に連接される揺動部３５６と、その揺動部３５６の背面側端部に形成されると共に筒部材３３１の第１切り欠き３４５に係止される係止爪３５７と、その係止爪３５７の背面側に設けられるテーパ面３５８と、係止爪３５７の前面側に設けられる係止面３５９とで構成されている。
【００８７】
内挿部材３３２と筒部材３３１との結合は、内挿部材３３２の内挿側挿入突起３５４を筒部材３３１の第１切り欠き３４４内に挿入しつつ内挿部材３３１を取付側結合部３０６側に押し込むことで行われる。内挿部材３３１が取付側結合部３０６側に押し込まれると、まず、テーパ面３５８が第１筒部３４１の内面に当接し、更に押し込まれると、筒部材３３１の内面により係止爪３５７が内挿部材３３２の軸心方向へ押されて内挿部材３３２の挿入が行われる。そして、内挿部材３３２が取り付け位置まで達すると、係止爪３５７が揺動部３５６により押し戻され、筒部材３３１の第２切り欠き３４５に係止されて、筒部材３３１と内挿部材３３２との結合が行われる（図８（ｂ）の状態）。この際に、係止爪３５７の係止面３５９により内挿部材３３２の引き抜きが防止される。
【００８８】
図９に示すように、蓋側結合部２５５は、結合部材２５９が挿入される略筒状の凹部４０１と、その凹部４０１の外周壁の一部に形成されると共に結合部材２５９の筒側挿入突起３４３が挿入される蓋側挿入溝４０２と、結合部材２５９の第２筒部３４２が貫挿される貫通孔４０３とを有して構成されている。
【００８９】
取付側結合部３０６は、結合部材２５９が挿入されるように内側が空洞に形成されており、結合部材２５９が貫挿される貫通孔４０４と、その貫通孔４０４の外周の一部に形成されると共に結合部材２５９を取り外す場合に係止爪３５０が通過可能に構成される切り欠き４０５とを有して構成されている。なお、切り欠き４０５は、結合部材２５９が取付側結合部３０６に結合された状態で、係止爪３５０に対して９０度ずれた位置に設けられており、結合部材２５９が簡単に取り外されることを防止している。
【００９０】
ここで、結合部材２５９により基板ボックス２０１と取付ベース２０２とを結合する場合について説明する。上述した通り、基板ボックス２０１が取付ベース２０２に対してスライド移動して取り付けると、蓋側結合部２５５と取付側結合部３０６とが対向する位置に配設される（図９の位置関係）。この状態で、蓋側挿入溝４０２が筒側挿入突起３４３内に挿入されるように筒部材３３１を押し込んでいく。この際、係止爪３５０は、蓋側結合部２５５の凹部４０１の内壁により押されて軸心方向に揺動する。さらに、筒部材３３１が押し込まれて係止爪３５０が取付側結合部３０６の貫通孔４０４を通過すると、係止爪３５０が揺動部３４８により筒部材３３１の径方向外側に揺動され、取付結合部３０６の上壁４０６に係止される。
【００９１】
そして、内挿部材３３２を、第１切り欠き３４４（図８参照）に内挿側挿入突起３５４（図８参照）が挿入されるように筒部材３３１内に押し込んでいく。この際、係止爪３５５は、筒部材３３１の内壁により押されて軸心方向に揺動する。さらに、内挿部材３３２が押し込まれて係止爪３５５が第２切り欠き３４５に達すると、係止爪３５５が揺動部３５６により内挿部材３３２の径方向外側に揺動され、係止爪３５５と第２切り欠き３４５とが係止される。
【００９２】
よって、結合部材２５９は、蓋側挿入溝４０２及び筒側挿入突起３４３と、により円周方向への回転が規制されているので、筒部材３３１の係止爪３５０が取付側結合部３０６の切り欠き４０５に対応する位置まで回転することが規制され、蓋側結合部２５５及び取付側結合部３０６の結合が解除されることを防止できる。
【００９３】
また、筒部材３３１の係止爪３５０は、筒部材３３１内に内挿部材３３２が内挿されているので、軸心方向への揺動が規制されている。よって、係止爪３５０が不正行為により軸心方向に揺動させることを防止することができる。
【００９４】
次に、基板ボックス２０１と取付ベース２０２との結合の解除手順について説明する。結合部材２５９は、上述した通り、蓋側結合部２５５及び取付側結合部３０６により結合された状態で取り外し不可に構成されているので、基板ボックス２０１と取付ベース２０２との結合を解除しようとした場合、ボックス蓋２１２の本体部分と蓋側結合部２５５とを連結する一対の連結部４０７をニッパなどの工具で切断（破壊）する必要が生じる。そして、連結部４０７を切断すると、結合部材２５９は円周方向に回転可能になり、係止爪３５０が切り欠き４０５に対応する位置まで９０度回転させると、蓋側係止部２５５と結合部材２５９とを一体として取付側結合部３０６から引き抜くことができる。蓋側係止部２５５と結合部材２５９とが引き抜かれると、基板ボックス２０１はスライド移動して取付ベース２０２から取り外し可能になる。
【００９５】
よって、基板ボックス２０１を取付ベース２０２から取り外す場合には、連結部４０７が必ず切断されて破壊されるので、ホール関係者などは、基板ボックス２０１が取り外されたことを簡単に確認することができる。
【００９６】
また、引き抜かれた状態の蓋側係止部２５５と結合部材２５９とは、結合部材２５９の挿入方向先端側に内挿部材３３２の係止爪３５５が露出しているので、係止爪３５５を軸心方向に押さえつつ筒部材３３１の第２切り欠き３４５との係止を解除でき、内挿部材３３２を筒部材３３１から引き抜くことができる。その結果、筒部材３３１の係止爪３５０も軸心方向に揺動可能になり、蓋側結合部２５５から引き抜き可能になる。よって、結合部材２５９は、破壊することなく取り出し可能なので、他の蓋側結合部２５５及び取付側結合部３０６を結合する際に再利用可能になる。本実施形態では、蓋側結合部２５５及び取付側結合部３０６が合計で４個設けられているので、少なくとも３回は再利用して使用することができる。
【００９７】
また、結合部材２５９は、ベース側返送用封印部２３１（図５参照）と蓋側返送用封印部２５４（図５参照）とを介して基板ボックス２０１を封印可能に構成されている。蓋側返送用封印部２５４は、蓋側結合部２５５と同形状に形成されており、ベース側返送用封印部２３１は、結合部材２５９の係止爪３５０，３５５の係止解除を不能とするために密閉形状に形成されている。よって、結合部材２５９は、主基板２１３（図５参照）の修理などの為に基板ボックス２０１をメーカーに送り返す場合に、基板ボックス２０１を開封不能に封印することができるので、基板ボックス２０１のメーカーへの返送途中に基板ボックス２０１がバラバラになり部品などが紛失することを抑制できる。
【００９８】
また、結合部材２５９は、再利用可能に構成されているが、基板ユニット２００において１つしか備えられていない。そして、メーカーへの返送時にも使用されてメーカーに返却されるので、結合部材２５９が市場に流通することを抑制することもできる。よって、結合部材２５９が市場に流通することで、例えば、２つの基板ボックスから１の基板ボックスを不正に製作する場合に結合部材２５９が使用されることを抑制することができる。
【００９９】
また、各返送用封印部２３１，２５４を介して結合部材２５９により封印された基板ボックス２０１を開封する場合にも、連結部４０６をニッパなどの工具で切断しなければならないので、メーカーへの返送途中に基板ボックス２０１が開封された場合にも痕跡が残り、基板ボックス２０１の開封を発見することができる。
【０１００】
次に、図１０〜図１３を参照して、封印部材２６０及び各封印部２３４，２５７について説明する。図１０は、封印部材２６０を拡大した斜視図であり、図１０（ａ）は、封印部材２６０の前面側から視た斜視図であり、図１０（ｂ）は、封印部材２６０を背面側から視た斜視図である。図１１（ａ）は、封印部材２６０により基板ボックス２０１が封印された状態を示した断面図であり、図１１（ｂ）は、図１１（ａ）のＸＩｂ−ＸＩｂ線における封印部材２６０と各封印部２３４，２５７との断面図である。図１２は、封印部材２６０により各封印部２３４，２５７が封印された状態を示した部分的な上面図である。図１３は、封印部材により各封印部２３４，２５７が封印された状態の一部を拡大して示した断面図である。
【０１０１】
図１０（ａ）に示すように、封印部材２６０は、軸部３６１と、その軸部３６１に連接される頭部３６２とで構成されている。なお、以下の説明では、封印部材２６０の頭部３６２側を前面側とし軸部３６１側を背面側として説明する。なお、本実施形態の封印部材２６０は、結合部材２５９と形状だけでなく色も異なるように構成されており、着色樹脂材料で形成されている。封印部材２６０を着色樹脂材料で構成することで、封印部材２６０の状態（後述する突出部３６９の破損）を確認し易いように構成している。
【０１０２】
軸部３６１は、略筒状に形成されており、その外周に形成される切り欠き３６３と、その切り欠き３６３の前面側の端部に連結されると共に背面側に延設される揺動部３６４と、その揺動部３６４の背面側端部に形成されると共に蓋側封印部２５７に係止される係止爪３６５と、その係止爪３６５の背面側に設けられるテーパ面３６６と、係止爪３６５の前面側に設けられる係止面３６７とで構成されている。
【０１０３】
頭部３６２には、軸部３６１の軸心を通る中央部３６８から径方向外側に向かって突出した６本の突出部３６９が形成されている。また、突出部３６９には、径方向外側に向かって軸部３６１側に下方傾斜する傾斜面３７０が形成されており、後述する硬化材料Ｘ（図１２参照）が流し込まれる場合に、その硬化材料が軸部３６１側に流れ易くなるように構成されている。また、頭部３６２は、その外周の一部が、平面上に形成される平面部３７１が形成されており、この平面部３７１により封印部材２６０の挿入方向の位置決めが可能に構成されている。
【０１０４】
図１０（ｂ）に示すように、頭部３６２の背面側には、軸部３６１の軸心を通る中央部３６８に比べて突出部３６９の肉厚の方が薄くなるように段差部３７２が形成されている。そして、突出部３６９は、傾斜面３７０を有しているので、突出先端方向に向かうほど肉厚が薄くなる。その結果、頭部３６２の突出部３６９は、硬化材料Ｘにより固められると、中央部３６８に比べて脆弱になるので、封印部材２６０を無理に取り外そうとすると、突出部３６９が必ず破壊されることになる。なお、段差部３７２は、蓋側封印部２５７の貫通孔４２４（図１１参照）の内側形状に沿った形状に形成されており、封印部材２６０を挿入する際に、頭部３６２の平面部３７０と共に位置決め可能に構成されている。
【０１０５】
図１１（ａ）に示すように、蓋側封印部２５７は、封印部材２６０の頭部３６２が収容される凹状の頭部収納領域４２１と、ベース側封印部２３４の突出部４２７が収容される突出部収容領域４２２と、封印部材２６０の軸部３６１の挿入先端側が収容される軸部収容領域４２３と、頭部収容領域４２１と突出部収容領域４２２とを連通すると共に軸部３６１が貫挿される貫通孔４２４と、封印部材２６０の突出部３６９の下面と当接して頭部３６２を支持する支持部４２５と、頭部収容領域４２１の側壁の一部であって頭部３６２の平面部３７０に対応する平面部４２６とを有して構成されている。
【０１０６】
ベース側封印部２３４は、蓋側封印部２５７の突出部収容領域４２２内に収容される平板状の突出部４２７と、その突出部４２７に貫通形成されると共に封印部材２６０の軸部３６１が貫挿される貫通孔４２８とを有して構成されている。
【０１０７】
ここで、封印部材２６０によりボックスベース２１１とボックス蓋２１２とを封印する手順について説明する。ボックスベース２１１とボックス蓋２１２とは、上述した通り、ボックスベース２１１とボックス蓋２１２とを合致させた後にスライド移動することで、各封印部２３４，２５７が対応する位置に配置される。この状態は、蓋側封印部２５７の突出部収容領域４２２内にベース側封印部２３４の突出部４２７が収容された状態である（図１１（ａ）の位置関係）。突出部４２７が突出部収容領域４２２内に収容された状態で、封印部材２６０の平面部３７０と蓋側封印部２５７の平面部４２６とが対向するように、封印部材２６０を蓋側封印部２５７の貫通孔４２４に押し込むと、封印部材２６０の係止爪３６５が貫通孔４２４に押されて軸部３６１の軸心方向に揺動される。そして、封印部材２６０を更に押し込むと、係止爪３６５がベース側封印部２３４の貫通孔４２８により軸心方向に押されたままで挿入され、係止爪３６５が貫通孔４２８を通過すると、係止爪３６５が揺動部３６４により径方向外側に揺動され、取付側封印部２３４の突出部４２７の下面に係止される（図１１（ｂ）の状態）。図１１（ｂ）に示すように、封印部材２６０の係止爪３６５が取付側封印部２３４の突出部４２７の下面に係止された状態で、頭部３６２側から硬化材料Ｘが流し込まれ、封印部材２６０と各封印部２３４，２５７とを強固に固定して基板ボックス２０１の封印が行われる。
【０１０８】
また、図１１（ａ）及び図１１（ｂ）に示すように、封印部材２６０の頭部３６２の大きさに対して頭部収容領域４２１の方が大きく形成されている。即ち、頭部３６２の突出部３６９の突出先端が頭部収容領域４２１に当接しないように構成されている。よって、突出部３６９は、肉厚が薄くなっており壊れやすいが、封印部材２６０を各封印部２３４，２５７に押し込む際に、突出部３６９が頭部収容領域４２１に当たることを抑制できるので、封印部材２６０による各封印部２３４，２５７の封印前に、その封印部材２６０が破損してしまうこと抑制できる。
【０１０９】
また、封印部材２６０の一対の係止爪３６５を結ぶ方向と、ボックスベース２１１に対してボックス蓋２１２をスライド移動させる方向とが直交している。よって、ボックス蓋２１２を無理やりスライド移動させて基板ボックス２０１を開封しようとしても、係止爪３６５を結ぶ方向とスライド移動方向とが平行となる場合に比べて、係止爪３６５に作用する力が弱くなるので、基板ボックス２０１が無理に開封されることを抑制できる。
【０１１０】
なお、硬化材料Ｘとは、本実施形態では、常には液状または糊状であるが紫外線を照射すると徐々に硬化していく紫外線硬化樹脂で構成されている。また、硬化材料Ｘを、エポキシ系やゴム系などの接着剤で構成しても良いし、基板ボックス２０１が硬化熱に耐えられる材料で構成されている場合には熱硬化性樹脂などで構成しても良い。
【０１１１】
図１２に示すように、封印部材２６０により蓋側封印部２５７とベース側封印部２３４とが連結された状態では、封印部材２６０の突出部３６９が蓋側封印部２５７の支持部４２５に支持されており、封印部材２６０と蓋側封印部２５７の貫通孔４２４との間に隙間が形成されている。これは、封印部材２６０の軸部３６１（図１１（ａ）参照）の外径より蓋側封印部２５７の貫通孔４２４の内径の方が大きく形成されているためである。よって、封印部材２６０の頭部３６２側から硬化材料が流し込まれると、貫通孔４２４内に流れ込むので、封印部材２６０と蓋側封印部２５７とを強固に固着することができる。
【０１１２】
また、ベース側封印部２３４の貫通孔４２８は、蓋側封印部２５７の貫通孔４２４より内径が小さく形成されている。よって、蓋側封印部２５７の貫通孔４２４に流れ込んだ硬化材料は、ベース側封印部２３４の上面に達することになるので、封印部材２６０、蓋側封印部２５７及びベース側封印部２３４を一体的に強固に固着することができる。
【０１１３】
蓋側封印部２５７は、ボックス蓋２１２との間が４つの連結部４３１により連結（橋架）されており、ベース側封印部２３４は、ボックスベース２１１との間を２つの連結部４３２により連結（橋架）されている。よって、封印部材２６０による各封印部２３４，２５７の封印を解除する場合には、全ての連結部４３１，４３２を切断しなければならないので、その封印解除の痕跡を確実に残すことができ、基板ボックス２０１が開封されたことをホール関係者などに簡単に認識させることができる。
【０１１４】
蓋側結合部２５５は、再封印の作業性を考慮して、ボックス蓋２１２の左右方向の中央に複数並べられて配設され、蓋側封印部２５７は、ボックス蓋２１２の左右方向の両端側であって蓋側結合部２５５の両外側に配設されている（図５参照）。そのように配置した場合に、基板ボックスの単品状態では、左右方向の中央部の結合が弱くなってしまう。これに対し、ボックス蓋２１２左右方向の中央部付近を、ボックス蓋２１２とボックスベース２１１とが離間する方向に抉った場合には、蓋側結合部２５５から中央部に向かって連結されている連結部４３１の応力が高くなって中央部に向かう連結部４３１が破壊される。そのため、基板ボックスの開封の痕跡を残すことができる。
【０１１５】
また、基板ボックス２０１と取付ベース２１１が結合部材２５９によって結合されている場合において、結合部材２５９の周辺を基板ボックス２０１と取付ベース２１１が離間する方向に抉った場合、基板ボックス２０１と取付ベース２１１は結合部材２５９と押さえ片３０９によって規制されているので、蓋側結合部２５５から外側に向かって連結されている連結部４３１に応力が高くなって外側に向かう連結部４３１が破壊する。そのため、取付ベース２１１から、基板ボックス２０１を取り外そうとした痕跡を残すことができる。
【０１１６】
また、蓋側封印部２５７は、上述した通り、ボックス蓋２１２の左右方向の両端に配設されている（図５参照）。つまり、基板ボックス２０１内の主基板２１３に不正行為をしようとして、ボックス蓋２１２とボックスベース２１１との境目を抉ろうとしたり、ボックス蓋２１２又はボックスベース２１１を捻ろうとすると、その抉り及び捻れの応力は、基板ボックス２０１の外縁側（つまり、側壁部２２３，２２４等（図５参照））に作用する。よって、図１２に示すような細棒状の連結部４３１は、基板ボックス２０１に対して抉りや捻れの力が作用すると破壊され易くなるので、基板ボックス２０１に対する不正行為の発生を発見し易くできる。特に、４つの連結部４３１のうち、側壁部２２３，２２４に連結される連結部４３１は破壊され易く、その破壊され易い連結部４３１を視認することで、ホール関係者などは簡単に不正行為が行われた可能性のある基板ボックス２０１を発見できる。
【０１１７】
図１３に示すように、封印部材２６０により各封印部２５７，２３４が連結された状態で、封印部材２６０の頭部３６２側から流し込まれる硬化材料Ｘは、頭部３６２の全体を覆う量が流し込まれる。つまり、封印部材２６０の頭部３６２に対して直接アクセスできない程度の量の硬化材料Ｘが流し込まれる。
【０１１８】
また、封印部材２６０の頭部３６２側から硬化材料Ｘが流し込まれると、上述した通り、蓋側封印部２５７の貫通孔４２４内に流れ込み、更に、ベース側封印部２３４の上面に達する。この際、ベース側封印部２３４の貫通孔４２８が封印部材２６０の軸部３６１の外径より大きな内径に形成されているので、貫通孔４２８の内部まで流れ込み、その結果、蓋側封印部２５７の軸部収容領域４２３内にも流れ込むと共に、軸部３６１の切り欠き３６３内から封印部材２６０の内部にも流れ込む可能性がある。よって、封印部材２６０、蓋側封印部２５７及びベース側封印部２３４を一体的に強固に固着することができる。
【０１１９】
即ち、封印部材２６０による各封印部２３４，２５７の封印を各連結部４３１，４３２（図１２参照）を切断せずに解除しようとすると、硬化材料Ｘで封印部材２６０が覆われると共に封印部材２６０の突出部３７０の肉厚が薄く形成されているので、突出部３７０が段差部３７２との連結部分から折れてしまう。よって、各連結部４３１，４３２を切断せずに封印部材２６０による封印を解除しようとしても、封印部材２６０には封印解除の痕跡を残せるので、ホール関係者などに基板ボックス２０１が開封された可能性のあることを簡単に認識させることができる。
【０１２０】
また、封印部材２６０が確実に破壊されることから、２以上の基板ボックスから１の基板ボックスを製作する場合に封印部材２６０を再利用することができない。よって、不正行為者が不正なプログラムが搭載した主基板を基板ボックスに収容して取り付けようとしても、無傷の封印部材２６０の入手が困難になるので、不正行為の発生自体を抑制できるし、例えば、不正な主基板が搭載された基板ボックスが取り付けられても、その基板ボックスを簡単に発見できる。
【０１２１】
また、硬化材料Ｘを流し込むと、封印部材２６０の頭部３６２の突出部３７０と、蓋側封印部２５７の支持部４２５との間にも硬化材料Ｘが流れ込む。これは、ベース側封印部２３４の突出部４２７の厚みｌ１よりも、封印部材２６０の揺動部３６４の長さの方が若干長く形成されているために、硬化材料Ｘが流し込まれると、封印部材２６０の突出部３７０が蓋側封印部２５７の支持部４２５に対して浮き上がる隙間が形成されるからである。よって、封印部材２６０の頭部３６２の表面全体と硬化材料Ｘが接することになるので、封印部材２６０を無理に取り外そうとすると、確実に突出部３７０が折れて破壊される。従って、不正行為の発生自体を抑制できるし、不正な主基板が搭載された基板ボックスを簡単に発見できる。
【０１２２】
また、硬化材料Ｘは、本実施形態では、一旦硬化された後に削り取られると、その削りとられた部分が白く変色するように構成されている。よって、不正行為者が、最新の注意を払って硬化材料Ｘを取り除こうとしても、全ての硬化材料Ｘを変色せずに取り除くことは困難となるので、不正行為が行われた可能性のある基板ボックス２０１や封印部材２６０を簡単に発見することができる。また、封印部材２６０だけでなく、蓋側封印部２５７及びベース側封印部２３４にも硬化材料Ｘが流れ込んでいるため、ボックスベース２１１及びボックスベース２１２の再利用も簡単に発見することができる。
【０１２３】
次いで、本スロットマシン１０の電気的構成について、図１４を参照して説明する。図１４は、スロットマシン１０の電気的構成を示すブロック図である。
【０１２４】
主制御装置１０１には、演算処理手段であるＭＰＵ１０２を中心とするマイクロコンピュータが搭載されている。ＭＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【０１２５】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５（図１参照）から投入されたメダルを検出する投入メダル検出センサ４５ａ、ホッパ装置５１から払い出されるメダルを検出する払出検出センサ５１ａ、各クレジット投入スイッチ５６，５７の操作を個別に検出するクレジット投入検出センサ５６ａ，５７ａ、精算スイッチ５８の操作を検出する精算検出センサ５８ａ、リセットスイッチ７２の操作を検出するリセット検出センサ７２ａ、キーシリンダ７３（図５参照）に設定キーが挿入されてＯＮ操作されたことを検出する設定キー検出センサ７３ａ等の各種センサが接続されており、これら各種センサからの信号は入出力ポート１０４を介してＭＰＵ１０２へ出力されるようになっている。
【０１２６】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【０１２７】
停電監視回路９１ｂは電源の遮断状態を監視し、停電時はもとより、電源スイッチ７１（図２参照）による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＭＰＵ１０２と入出力ポート１０４のそれぞれに供給され、ＭＰＵ１０２ではこの停電信号を認識することにより後述する停電時処理が実行される。また、この停電信号は表示制御装置８１にも供給されるように構成されている。
【０１２８】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電時処理を実行するに十分な時間が確保されている。
【０１２９】
主制御装置１０１の出力側には、リールユニット３１（より詳しくは各リール３２Ｌ，３２Ｍ，３２Ｒを回転させるためのステッピングモータ）、セレクタ４６（図２参照）に設けられたメダル通路切替ソレノイド４６ａ、ホッパ装置５１、クレジット表示部６０（図１参照）、残払出枚数表示部６１（図１参照）、払出枚数表示部６２（図１参照）、表示制御装置８１、図示しないホール管理装置などに情報を送信できる外部集中端子板１２１等が入出力ポート１０４を介して接続されている。
【０１３０】
表示制御装置８１は、上部ランプ６３やスピーカ６４、補助表示部６５を駆動させるための制御装置であり、これらを駆動させるためのＭＰＵ、ＲＯＭ、ＲＡＭ等が一体化された基板を備えている。そして、主制御装置１０１からの信号を受け取った上で、表示制御装置８１が独自に上部ランプ６３、スピーカ６４及び補助表示部６５を駆動制御する。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【０１３１】
上述したＭＰＵ１０２には、このＭＰＵ１０２によって実行される各種の制御プログラムや固定値データを記憶したＲＯＭ１０５、このＲＯＭ１０５に記憶されている制御プログラムを実行するにあたって各種のデータを一時的に記憶する作業エリアを確保するためのＲＡＭ１０６、乱数を発生するフリーランカウンタ１０７が内蔵されている。また、ＭＰＵ１０２には、図示はしないが周知のように割込み回路を始めとしてタイマ回路、データ送受信回路などスロットマシン１０において必要な各種の処理回路や、クレジット枚数をカウントするクレジットカウンタなどの各種カウンタも内蔵されている。
【０１３２】
フリーランカウンタ１０７は、０〜６５５３５の乱数を短い周期で生成して更新するハードウェアによって構成されたカウンタである。ＭＰＵ１０２は、スタートレバー４１の操作をスタート検出センサ４１ａの出力信号に基づいて確認した後、ハード回路によってフリーランカウンタ１０７の値をラッチし、そのラッチした値をＲＡＭ１０６に格納する。かかる構成とすることにより、スタートレバー４１が操作されたタイミングで速やかに乱数を取得することが可能となり、同期等の問題が発生することを回避することが可能となる。尚、本スロットマシン１０のハード回路は、スタートレバー４１が操作される毎にその都度のフリーランカウンタ１０７の値をラッチする構成となっている。また、ラッチされ、ＲＡＭ１０６に格納されたフリーランカウンタの値は、スタートレバー４１の操作によって開始されるゲームの入賞態様（役）を抽選するために用いられる。
【０１３３】
ＲＯＭ１０５とＲＡＭ１０６とは、記憶手段としてのメインメモリを構成するものであり、各種処理を実行するためのプログラムは、制御プログラムの一部としてＲＯＭ１０５に記憶されている。また、ＲＯＭ１０５には、入賞態様の抽選に用いられる抽選テーブルを格納する抽選テーブル格納エリア１０５ａが設けられている。
【０１３４】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いるスベリテーブルを記憶するためのスベリテーブル格納エリア１０６ｂ、ボーナス状態等の遊技状態を記憶するための状態情報格納エリア１０６ｃ等の他に、バックアップエリアが設けられている。
【０１３５】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。
【０１３６】
また、ＭＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【０１３７】
続いて、主制御装置１０１のＭＰＵ１０２により実行される各制御処理について説明する。かかるＭＰＵ１０２の処理としては、大別して、電源投入に伴い起動されるメイン処理と、定期的に（本実施形態では１．４９ｍｓｅｃ周期で）起動されるタイマ割込み処理と、ＮＭＩ端子への停電信号の入力に伴い起動されるＮＭＩ割込み処理とがある。タイマ割込み処理では、各種のセンサ入力を監視する処理や、ステッピングモータやランプ、スピーカなどへの出力を実行する処理が実行され、ＮＭＩ割込処理では、停電信号が入力された場合に、遊技内容をＲＡＭ１０６のバックアップエリア（図示せず）に記憶する停電処理が実行される。
【０１３８】
次に、図１５を参照して、主制御装置１０１のＭＰＵ１０２により実行される通常処理について説明する。図１５は、主制御装置１０１のＭＰＵ１０２により実行される通常処理を示したフローチャートである。
【０１３９】
通常処理は、遊技に関わる主要な制御を行う処理で、ＭＰＵ１０２により通常処理が実行されると、先ず、次回のタイマ割込みを許可する割込み許可処理を行い（Ｓ２０１）、次に、遊技を可能とするための開始前処理を行う（Ｓ２０２）。この開始前処理では、表示制御装置８１等が初期化を終了するまで待機する。そして、表示制御装置８１等の初期化が終了した場合には、続くＳ２０３〜Ｓ２１３に示す遊技管理処理を行う。
【０１４０】
遊技管理処理として、まず、Ｓ２０３の処理では、ＲＡＭ１０６に格納された各種遊技情報等のデータ（例えば前回の遊技で用いた乱数値やＢＢ入賞を除く各入賞の当選を示す各当選フラグ等）をクリアし、続くＳ２０４の処理では開始待ち処理を行う。
【０１４１】
Ｓ２０４の開始待ち処理では、前回の遊技でリプレイ入賞が成立したか否かを判定し、リプレイ入賞が成立していた場合には、前回のベット数と同数の仮想メダルを自動投入する自動投入処理を行い、開始待ち処理を終了する。なお、自動投入処理では、クレジット表示部６０に表示された仮想メダル数を減じることなく仮想メダルの投入を行う。つまり、前回の遊技でリプレイ入賞が成立した場合には、遊技者は所有するメダルを減らすことなく且つメダルを投入することなく今回の遊技を行うことができる。
【０１４２】
一方、いずれのリプレイ入賞も成立していなかった場合には、タイマ割込み処理で読み込まれたセンサの読込結果に異常が発生していないかを確認するセンサ異常確認処理を行い、異常が発生している場合にはスロットマシン１０をエラー状態とすると共にエラーの発生を報知する異常発生時処理を行う。かかるエラー状態は、リセットスイッチ７２が操作されるまで維持される。
【０１４３】
センサの読み込み結果が正常である場合には精算スイッチ５８が操作されたか否かを判定し、精算スイッチ５８が操作された場合には、クレジットされた仮想メダルと同数のメダルを払い出すメダル返却処理を行う。メダル返却処理の終了後又は精算スイッチ５８が操作されていない場合には、前回の開始待ち処理から今回の開始待ち処理までの間にメダルの投入又はクレジット投入スイッチ５６，５７の操作がなされたか否かを判定し、いずれかが行われた場合にはメダル投入処理を行い、開始待ち処理を終了する。また、前回の開始待ち処理から今回の開始待ち処理までの間にメダルの投入とクレジット投入スイッチ５６，５７の操作のいずれもなされていない場合には、そのまま開始待ち処理を終了する。
【０１４４】
Ｓ２０４の開始待ち処理の終了後、次いで、メダルのベット数が規定数に達しているか否かを判定し（Ｓ２０５）、ベット数が規定数に達していない場合には（Ｓ２０５：Ｎｏ）、Ｓ２０４の開始待ち処理に戻って、当該処理のうちセンサ異常確認処理以降の処理を行う。尚、本実施形態において、ベット数の規定数は、スロットマシン１０の遊技状態に応じて設定される。即ち、スロットマシン１０の遊技状態が一般遊技状態にある場合は規定数を１枚〜３枚に設定し、ボーナス状態にある場合は規定数を３枚に設定する。これにより、一般遊技状態ではベット数が３枚だけでなく、１枚または２枚であってもゲームを開始することができる。
【０１４５】
Ｓ２０５の処理の結果、ベット数が規定数に達している場合には（Ｓ２０５：Ｙｅｓ）、次いで、スタートレバー４１が操作されたか否かを判定する（Ｓ２０６）。そして、スタートレバー４１が操作されていない場合には（Ｓ２０６：Ｎｏ）、ステップＳ２０４の開始待ち処理に戻り、当該処理のうちセンサ異常確認処理以降の処理を行う。
【０１４６】
一方、スタートレバー４１が操作された場合には（Ｓ２０６：Ｙｅｓ）、本スロットマシン１０が規定数のメダルがベットされている状況下でスタートレバー４１が操作されると遊技を開始できる構成となっているため、遊技を開始させるべく開始指令が発生したことを意味する。そこで、かかる場合には、メダル通路切替ソレノイド４６ａを非励磁状態に切り替えてベット受付を禁止する（Ｓ２０７）。続く２０８の処理では、有効ラインを設定する有効ライン設定処理を行う（Ｓ２０８）。この有効ライン設定処理では、上ラインＬ１，中ラインＬ２，下ラインＬ３，右下がりラインＬ４，右上がりラインＬ５の全ての組合せラインを有効ラインとして設定する。そして、開始コマンドをセットする（Ｓ２０９）。ここで、開始コマンドとは、開始指令が発生したことを把握させるべく表示制御装置８１に対して送信されるコマンドである。
【０１４７】
その後、当選フラグ格納エリア１０６ａの値に基づく抽選処理（Ｓ２１０）、スベリテーブル格納エリア１０６ｂの値に基づくリール制御処理（Ｓ２１１）、遊技に当選し且つクレジットが一杯であった場合にメダルを払い出すメダル払出処理（Ｓ２１２）、ボーナス状態であった場合にボーナスゲームを実行するボーナス状態処理（Ｓ２１３）を順に実行し、Ｓ２０３の処理に戻る。
【０１４８】
次に、図１６及び図１７を参照して、封印部材２６０の変形例について説明する。図１６は、変形例の封印部材２６０ａ〜２６０ｄを示した上面図であり、図１７は、変形例の封印部材２６０ｅと各封印部２３４，２５７との一部を拡大して示した断面図である。
【０１４９】
図１６（ａ）に示すように、封印部材２６０ａは、中央部３６８ａが略円形に形成されており、その円形の中央部３６８ａから径方向外側でかつ放射状に突出部３７０ａが突出して形成されている。この突出部３７０ａも、図示しないが、中央部３６８ａの肉厚より薄く形成されており、封印部材２６０ａを無理に取り外そうとすると、突出部３７０ａが折れて破壊され易いように構成されている。
【０１５０】
図１６（ｂ）に示すように、封印部材２６０ｂは、中央部３６８ｂが略半円形状（具体的には、トンネルの入口の形状）に形成されており、その中央部３６８ｂの平面部３７１ｂの両側から一対の突出部３７０ｂが突出して形成されると共に、中央部３６８ｂの半円の中央から突出部３７０ｂが突出して形成されている。この突出部３７０ｂも、図示しないが、中央部３６８ｂの肉厚より薄く形成されており、封印部材２６０ｂを無理に取り外そうとすると、突出部３７０ｂが折れて破壊され易いように構成されている。
【０１５１】
図１６（ｃ）に示すように、封印部材２６０ｃは、中央部３６８ｃが略半円形状に形成されており、その中央部３６８ｃから突出する突出部３７０ｃが細い棒状に形成されている。よって、封印部材２６０ｃを無理に取り外そうとすると、突出部３７０ｃが折れて破壊され易いように構成されている。
【０１５２】
図１６（ｄ）に示すように、封印部材２６０ｄは、中央部３６８ｄと突出部３７０ｄとの間が、細い棒状の連結部３７０ｄ１により連結されている。よって、封印部材２６０ｄを無理に取り外そうとすると、突出部３７０ｄが折れて破壊され易いように構成されている。
【０１５３】
なお、封印部材２６０ａは中央部３６８ａを略円形に形成すると共に封印部材２６０ｂ〜２６０ｄは略半円形に形成したが、中央部の形状は、矩形状および三角形状であっても良く、突出部３７０ａが脆弱に構成されるものであれば、中央部３６８ａは如何なる形状であっても良い。
【０１５４】
また、封印部材２６０ｂは突出部３６８ｂを２個で構成すると共に、封印部材２６０ａ，２６０ｃ，２６０ｄは突出部３７０ａ，３７９ｃ，３７９ｄを６個で構成するものとしたが、突出部の数は１個でも６個以上でも如何なる数で構成するものとしても良いし、突出部の形状も如何なる形状であっても良い。
【０１５５】
図１７に示すように、封印部材２６０ｅは、突出部３７０の下面に溝３７３が形成されている。この溝３７３は、突出部３７０の突出方向に対して交差する方向へ延びて形成されているので、封印部材２６０ｅを無理に取り外そうとすると、段差部３７２との連接部分から折れやすいだけでなく、溝３７３を基準に折れ易くすることができ、封印部材２６０ｅの再利用を困難にできる。また、溝３７３を設けることで、硬化材料Ｘとの当接面積が多くなるので、蓋側封印部２５７の支持部４２５と封印部材２６０ｅとの間をより強固に固着できる。また、溝３７３に侵入した硬化材料Ｘを除去するには、ボックス蓋２１２を破壊しなければならないため、硬化材料Ｘの除去が困難になる。
【０１５６】
なお、溝３７３は、突出部３７０の突出方向に対して平行方向に延びて形成しても良い。この構成でも、硬化材料Ｘとの当接面積が多くなるので、蓋側封印部２５７の支持部４２５と封印部材２６０ｅとの間を強固に固着できる。
【０１５７】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０１５８】
例えば、上記実施形態では、結合部材２５９によって基板ボックス２０１と取付ベース２０２とを結合するように構成したが、ボックスベース２１１とボックス蓋２１２とを連結して封印するように構成しても良い。この構成の場合、ボックスベース２１１のベース側封印部を密閉形状とし、取付側結合部３０６の切り欠き４０５に対応する切り欠きを設けない構成とし、結合部材２５９が取り外されることを防止する。また、結合部材２５９によりボックスベース２１１とボックス蓋２１２とを結合した状態で、硬化材料Ｘを流し込むように構成しても良い。この構成であれば、結合部材２５９を無理に取り外しても、硬化材料Ｘの白く変色する部分が結合部材２５９、ボックスベース２１１及びボックス蓋２１２に残るので、不正行為が行われた可能性のある基板ボックスを簡単に発見できる。また、結合部材２５９によりボックスベース２１１とボックス蓋２１２とが結合され硬化材料Ｘが流し込まれる構成において、内挿部材３３２の第１内挿部３５２の前面側端部から径方向外側に突出する突出部を設け、結合部材２５９に脆弱となる部分を設けるように構成しても良い。この構成では、結合部材２５９が無理に取り外されると、突出部が破壊されるので、不正行為が行われた可能性を簡単に発見できる。
【０１５９】
また、基板ボックス２０１を多うカバー部材を備える場合には、そのカバー部材と基板ボックス２０１、カバー部材と筐体１１、又は、カバー部材と取付ベース２０２を結合部材２５９により連結するように構成しても良い。この構成であれば、カバー部材が不正に開けられたこを簡単に発見可能となる。
【０１６０】
また、取付ベース２０２と筐体１１との結合に結合部材２５９を使用するように構成しても良い。この構成であれば、取付ベース２０２が取り外されたことを簡単に発見できるので、基板ボックス２０１に不正行為が行われた可能性があることを簡単に発見できる。
【０１６１】
また、上記実施形態では、封印部材２６０によってボックスベース２１１とボックス蓋２１２とを封印するように構成したが、基板ボックス２０１と取付ベース２０２とを封印するように構成しても良い。この構成では、基板ボックス２０１を取付ベース２０２から取り外すと、封印部材２６０が破壊されるので、基板ボックス２０１が取り外されたことを簡単に発見できる。また、封印部材２６０の再利用は不可能なので、基板ボックス２０１を取付ベース２０２に再度取り付けることもできなくなり、基板ボックス２０１が取り外されたことを簡単に発見できる。
【０１６２】
また、封印部材２６０により基板ボックス２０１と取付ベース２０２とを連結する場合には、硬化材料Ｘを流し込まない構成としても良い。この構成の場合、連結部４３１，４３２をニッパなどの工具で切断することで、蓋側の封印部を回転させて取付側の封印部から取り外すことができ、封印部材２６０も破壊されることなく取り外し可能となり、上記実施形態の結合部材２５９と同様に再利用可能になる。なお、基板ボックス２０１をメーカーに送り返す場合には、ボックスベース２１１及びボックス蓋２１２に設けられる返送用の封印部に対しては硬化材料Ｘを流し込むことで、封印部材２６０が市場に流通することを抑制できる。
【０１６３】
また、基板ボックス２０１を覆うカバー部材を備える場合には、そのカバー部材と基板ボックス２０１、カバー部材と筐体１１、又は、カバー部材と取付ベース２０２を封印部材２６０により封印するように構成しても良い。この構成であれば、カバー部材が不正に開けられたこを簡単に発見可能となる。
【０１６４】
また、取付ベース２０２と筐体１１との封印に封印部材２６０を使用するように構成しても良い。この構成であれば、取付ベース２０２が取り外されたことを簡単に発見できるので、基板ボックス２０１に不正行為が行われた可能性があることを簡単に発見できる。
【０１６５】
また、上記実施形態では、補強部材２８３を揺動ベース２８２に取り付けるように構成したが、補強部材をボックスベース２１１の背面側（即ち、取付ベース２０２との対向面側）に取り付けても良いし、ボックスベース２１１及びボックス蓋２１２の内側面（即ち主基板２１３が収容される領域側）に取り付けても良い。なお、基板ボックス２０１に補強部材２８３を取り付ける場合には、各封印部２３４，２５７及び蓋側結合部２５５の少なくとも１つを囲むように配設する。基板ボックス２０１に補強部材２８３を取り付ける構成であれば、基板ボックス２０１の捻れや撓みを抑制できるので、基板ボックス２０１が各封印部２３４，２５７を破壊することなく開封されたり、蓋側結合部２５５が破壊されることなく基板ボックス２０１が取付ベース２０２から取り外されたり、ボックスベース２１１とボックス蓋２１２との合わせ面から工具などが差し込まれて、主基板２１３の配線パターンが変更されたり他の制御回路が取り付けられる等の不正行為を抑制できる。また、取付ベース２０２と基板ボックス２０１との両方に補強部材２８３を設けるように構成しても勿論構わない。
【０１６６】
また、補強部材２８３、貫通孔２２８と突出片２５２、貫通孔２２９と突出片３０７、各係止部２３０，２５３、及び、貫通孔３１１，３２５突出片２５８は、それぞれ基板ボックス２０１や揺動ベース２８２の捻れや撓みを抑制可能なる機構である。上記実施形態では、全ての機構を備えるように構成したが、少なくとも２以上の機構の組み合わせであれば、如何なる組み合わせで構成しても良い。
【０１６７】
上記実施形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した実施形態と同様の作用効果を奏することは明らかである。なお、これらの各タイプにおけるボーナス当選としては、ＢＢ当選、ＲＢ当選、ＳＢ当選、ＣＴ当選などが挙げられる。
【０１６８】
また、上記実施形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０１６９】
また、パチンコ機に本発明を適用することも可能である。パチンコ機の場合、外枠に遊技機本体が装着されるとともに、遊技機本体の前面側に扉部材が設けられる。遊技機本体には、遊技球飛翔領域としての遊技領域が形成されるとともに作動口や液晶表示装置などが設置された遊技盤が搭載され、扉部材に設けられた視認窓により、遊技領域や液晶表示装置が視認可能となっている。そして、遊技球発射装置により発射された遊技球が作動口に入賞することに伴い、内部抽選が行われると共に液晶表示装置上にて絵柄の可変表示が行われる。かかるパチンコ機に上記実施形態の主制御装置と表示制御装置の構成を適用した場合であっても、上記実施形態と同様の作用効果を奏することは明らかである。
【０１７０】
以下に、本発明の遊技機に加えて、上述した各種実施形態に含まれる各種発明の概念を示す。
【０１７１】
所定数の第１挿入孔が設けられる第１部材と、その第１部材の第１挿入孔に連通する第２挿入孔が設けられる第２部材と、その第２部材の第２挿入孔および前記第１部材の第１挿入孔に挿入されて前記第１部材と第２部材とを結合する部材であって前記所定数と同数以下で構成される第１連結部材とを備え、その第１連結部材には、前記第１及び第２挿入孔に前記第１連結部材が挿入されて前記第１及び第２部材が結合された状態で、少なくとも一部に硬化材料が付着した脆弱部が設けられていることを特徴とする遊技機Ａ１。
【０１７２】
遊技機Ａ１によれば、第１部材の第１挿入孔および第２部材の第２挿入孔に第１連結部材が挿入された状態で第１及び第２部材が結合される。また、第１連結部材には、硬化材料が付着した脆弱部が設けられているので、第１及び第２部材が結合された状態から第１連結部材を取り出そうとしたり、第１連結部材に付着した硬化材料を取り除こうとすると、脆弱部が破壊され易く、第１連結部材を無傷で取り出すことが難しい。そして、第１及び第２挿入孔と第１連結部材とは同数以下で構成されており、第１連結部材を無傷で取り出すことが難しいので、他の第１及び第２部材を結合する際に第１連結部材が再利用されることを抑制できる。つまり、例えば、第１及び第２部材により基板ボックスを構成する場合には、第１連結部材を再利用できないので、複数の遊技機から取り外した２以上の基板ボックスから新たな基板ボックスが製作されることを困難にできる。また、第１連結部材の脆弱部は、基板ボックスを開封しようとした際にも破壊され易いので、基板ボックスが不正に開封されること自体を抑制できる。また、基板ボックスの結合に破壊された第１連結部材が使用されていた場合には、基板ボックスの開封の痕跡が確実に残るので、基板ボックスが開封されたことをホール関係者などに発見させ易くすることができる。
【０１７３】
また、例えば、第１部材を基板ボックスとし、第２部材を基板ボックスを取り付ける取付ベースや、基板ボックスを覆うカバー部材、基板ボックスを取り付ける遊技機本体とした場合には、取付ベースやカバー部材、遊技機本体から基板ボックスを不正に取り外そうとした場合に第１連結部材が破壊され易いので、基板ボックスの不正な取り外しを抑制できるし、破壊された第１連結部材が使用されていれば基板ボックスが取り外されたことをホール関係者に発見させ易くすることができる。
【０１７４】
また、第１連結部材の脆弱部に付着した硬化材料は、一般的に硬化後に削り取られると表面が白く変色し易いので、硬化材料を取り除こうとした場合には、第１及び第２挿入孔、第１連結部材に白く変色する部分が存在し易いし、変色した部位に硬化材料を再度付着させた場合には元の材料と追加した材料との界面に変色部分が残ってしまう。硬化材料を取り除こうとした場合に脆弱部が破損する可能性もある。よって、第１連結部材が破壊されるだけでなく、第１連結部材、第１及び第２部材等の再利用も発見し易くできるので、複数の第１及び第２部材、第１連結部材の組み合わせから新たな第１及び第２部材、第１連結部材の組み合わせが製作されることを困難にできる。
【０１７５】
なお、本発明における「少なくとも一部に硬化材料が付着した脆弱部」とは、少なくとも一部に硬化材料が付着した部位であって硬化材料を第１連結部材から取り除こうとした場合に破損し易いように脆弱に形成された部位をいう。このため、脆弱部以外の部位に比較して薄肉または細幅に形成される等して設計段階において不正等の外力による破損を予定した部位であって当該部位の少なくとも一部または全体に硬化材料が付着した場合における当該部位は本発明における脆弱部に含まれる。また、薄肉または細幅に形成される等して破損を予定した部位自体には硬化材料が付着していない場合であっても当該部位の両側が硬化材料で接続される等して硬化材料を第１連結部材から取り除こうとした場合に破損し易く形成した部位を予め設けた場合における硬化材料が付着した部位も本発明における脆弱部に含まれる。更に上記実施形態においては第１連結部材の頭部に脆弱部が設けられて硬化材料が付着していたが、必ずしも硬化材料が付着した脆弱部が第１連結部材の頭部に設けられる必要はなく、第１連結部材の中央部等、他の部位に設けられても良い。
【０１７６】
本発明における「第１部材」および「第２部材」は、遊技機において複数部品を結合する必要のあるいずれの部品に適用しても良く、基板ボックスを構成する複数の部材であっても良いし、第１部材および第２部材のうち一方が制御基板を収納する基板ボックスであって他方が該基板ボックスを遊技機に取り付け固定する相手部品であっても良いし、他の部品であっても良い。
【０１７７】
「第１部材と第２部材とを結合する」とは、第１部材と第２部材とが手作業やドライバ等の工具のみでは痕跡を残すことなく結合状態を解除することができない程度に結合することを意味する。第１部材および第２部材は、それぞれが単一材料で一体的に成形された一部品であっても、複数の部材を組み合わせて形成されたものであっても良い。
【０１７８】
第１挿入孔および第２挿入孔は、貫通するものと貫通しないものとを含む概念であって、第１挿入孔および第２挿入孔の一方が貫通穴で構成され、他方が非貫通の穴であっても良い。このため「第１挿入孔に連通する第２挿入孔」は、第１挿入孔に連続した空間を形成しつつ第１挿入孔側から反対側まで貫通する穴であっても良いし、第１挿入孔に連続した空間は形成するものの穴が途中で塞がれた非貫通の穴であっても良い。
【０１７９】
「（第１連結部材が）所定数と同数以下で構成される」とは、第１挿入孔および第２挿入孔の数と、硬化材料が付着した第１連結部材の数とが同数の場合はもちろん、第１連結部材の数が挿入孔の数より少ない場合を含む。すなわち、遊技機に設けられる全ての第１挿入孔および第２挿入孔に、脆弱部に硬化材料が付着した第１連結部材が挿入されている場合はもちろん、複数の第１挿入孔および第２挿入孔のうち一部のみに第１連結部材が挿入され、残りの第１挿入孔および第２挿入孔には第１連結部材が挿入されない場合、例えば、一部の第１挿入孔および第２挿入孔には脆弱部のない連結部材が挿入されることによって第１部材と第２部材とが結合される場合や、遊技機を新品で納入する際は一部の第１挿入孔および第２挿入孔にしか第１連結部材が挿入されていなくて、遊技機の検査等において一旦開放した後に再度第１部材と第２部材とを結合する場合に使用される再結合用の第１挿入孔および第２挿入孔が設けられる場合を含む。
【０１８０】
遊技機Ａ１において、前記第１部材はボックス蓋であると共に、前記第２部材はボックスベースであり、前記ボックス蓋とボックスベースとによって、遊技の制御を行う制御基板を被包する基板ボックスを構成するものであることを特徴とする遊技機Ａ２。
【０１８１】
遊技機Ａ２によれば、第１部材であるボックス蓋と第２部材であるボックスベースとによって、遊技の制御を行う制御基板を被包する基板ボックスが構成され、その基板ボックスに使用される第１連結部材を再利用できないので、２以上の基板ボックスから新たな基板ボックスが製作されることを困難にでき、制御基板に対して不正行為が行われることを抑制できる。また、第１連結部材は、基板ボックスを開封しようとすると破壊されるので、制御基板に対する不正行為の発生自体を抑制できる。また、基板ボックスの結合に破壊された第１連結部材が使用されていた場合には、基板ボックスの開封の痕跡が確実に残るので、基板ボックスが開封されたことをホール関係者などに簡単に発見させることができる。
【０１８２】
なお、遊技機Ａ２においてボックスベースまたはボックス蓋の一方が制御基板の部品搭載面を覆い、他方が制御基板の部品非搭載面側を覆う場合においては、第１連結部材の一方側であって制御基板の部品搭載面を覆う部材側に脆弱部が形成されることが好ましい。検査の際に脆弱部周辺の状態を確認し易くすることができる。
【０１８３】
遊技機Ａ１において、前記第１部材は、遊技の制御を行う制御基板を被包する基板ボックスであると共に、前記第２部材は、前記基板ボックスが取り付けられる取付ベースであることを特徴とする遊技機Ａ３。遊技機Ａ３によれば、第１部材は、遊技の制御を行う制御基板を被包する基板ボックスであり、第２部材は、基板ボックスが取り付けられる取付ベースであるので、取付ベースから基板ボックスが取り外されると第１連結部材が破壊されるので、基板ボックスの不正な取り外しを抑制できるし、破壊された第１連結部材が使用されていれば基板ボックスが取り外されたことをホール関係者に簡単に発見させることができる。
【０１８４】
遊技機Ａ１からＡ３のいずれかにおいて、前記脆弱部は、前記第１連結部材の頭部の軸心を通る中央部の径方向外側に設けられ、前記中央部の軸心方向の厚みより薄く形成されていることを特徴とする遊技機Ａ４。遊技機Ａ４によれば、第１連結部材の頭部の脆弱部は、その頭部の軸心を通る中央部の厚みより薄く形成されているので、第１連結部材を取り外そうとした場合に脆弱部が破壊され易くなり、第１連結部材が再利用されることを抑制できる。
【０１８５】
遊技機Ａ４に代えて、脆弱部は、第１挿入孔および第２挿入孔へ第１連結部材を挿入する挿入方向に対して交差する外方に突出する部位であって該挿入方向に沿った厚みを薄くすることで脆弱に形成された部位であり、その突出部位に硬化材料が付着していることとしても良い。この場合には、硬化材料を第１連結部材から取り除こうとした場合に突出部位の根元部分に力が加わり易いので、脆弱部を破損し易くすることができる。また、第１連結部材を不正に抜き取ろうとした場合に第１連結部材の挿入方向に交差する箇所である脆弱部に力を加えると第１連結部材が破損し易いので、不正に第１連結部材を抜き取ろうとする行為も抑制することができる。
【０１８６】
なお「挿入方向に沿った厚みを薄くすることで脆弱に形成された部位」とは、例えば、樹脂の一般的な厚みである１．５ミリメートルから３ミリメートルに比して十分に薄く形成された厚みを意味し、１．０ミリメートル以下の厚みであることが好ましく、０．７ミリメートル以下であることが好適である。また、脆弱部の突出量は、薄く形成された部位の厚みに対して外力によって容易に破損する程度に突出していることが好ましく、薄く形成された部位の厚みと同一以上の突出量とすることが必要であり、厚みの２倍以上の突出量とすることが好ましい。また、厚みを薄くすることで脆弱に形成された部位は、突出部の根元（又は基端）部分に近い一部のみに形成され、その部位より先端側に厚く形成される部位が設けられるものであっても良く、この場合においても全体が薄肉の場合と同様に不正を検出し易い。
【０１８７】
遊技機Ａ１からＡ４のいずれかにおいて、前記脆弱部は、前記第１連結部材の頭部の軸心を通る中央部の径方向外側に延設される複数の突出片で構成されていることを特徴とする遊技機Ａ５。遊技機Ａ５によれば、第１連結部材の頭部の脆弱部は、第１連結部材の頭部の軸心を通る中央部の径方向外側に延設される複数の突出片で構成されているので、第１連結部材を取り外そうとすると、突出片が中央部との連接部分が折れ易くなり、第１連結部材が再利用されることを抑制できる。
【０１８８】
遊技機Ａ５に代えて、脆弱部は、第１挿入孔および第２挿入孔へ第１連結部材を挿入する挿入方向に対して交差する外方に突出する突出片を複数有し、その複数の突出片が硬化材料によって連続する量の硬化樹脂が付着していることとしても良い。この場合には、硬化材料を第１連結部材から取り除こうとした場合に複数の突出部に同時に力が加わり易いので、脆弱部を破損し易くすることができる。また、第１連結部材を不正に抜き取ろうとした場合に第１連結部材の挿入方向に交差する箇所に力を加えると脆弱部が破損し易いので、不正に第１連結部材を抜き取ろうとする行為も抑制することができる。
【０１８９】
遊技機Ａ１からＡ５のいずれかにおいて、前記第１及び第２部材の一方は、前記第１連結部材の頭部が収容される収容部を備え、前記脆弱部には、前記第１連結部材の頭部の下面であって前記収容部の底面に対向する面に溝又は凹部が形成され、該溝又は凹部に少なくとも硬化材料が付着していることを特徴とする遊技機Ａ６。遊技機Ａ６によれば、第１連結部材の頭部の脆弱部は、その頭部のうち収容部の底面に対向する面に溝等が形成されているので、第１連結部材を取り外そうとすると、溝部分等を基準に折れ易くなり、第１連結部材が再利用されることを抑制できる。また、脆弱部の溝等は、頭部が収容される収容部の底面に対向する面に形成されているので、硬化材料が流し込まれると溝等内にも硬化材料が流れ込む。よって、第１連結部材の頭部と収容部との間で硬化材料の当接面積が多くなるので、第１連結部材と収容部とを強固に結合できる。更に、脆弱部の凹部内に硬化材料が入り込む場合、すなわち硬化材料の周りを囲う囲い部分の内側に硬化材料が付着する場合には硬化材料を更に除去しにくくすることができる。
【０１９０】
遊技機Ａ６において、前記収容部には、その側壁の一部に平面状の収容平面部が形成されており、前記第１連結部材の頭部には、前記収容平面部に対応した平面状の頭部平面部が形成されていることを特徴とする遊技機Ａ７。遊技機Ａ７によれば、収容部には、その側壁の一部に平面状の収容平面部が形成され、第１連結部材の頭部には、収容平面部に対応した平面状の頭部平面部が形成されているので、両平面部を合わせて第１連結部材を挿入することで、収容部に対する第１連結部材の位置決めを簡単に行うことができる。また、第１連結部材の形状が頭部平面部を有することで複雑になるので、第１連結部材の金型製作の費用などが高価になり、第１連結部材の不正な製作を抑制できる。
【０１９１】
遊技機Ａ６において第１連結部材の頭部に頭部平面部が形成され、脆弱部は頭部平面部よりも第１挿入孔および第２挿入孔へ第１連結部材を挿入する挿入方向に対して交差する外方に突出して設けられると共に挿入する際には他の部材に接触しない位置に形成されることとしても良い。すなわち第１連結部材を挿入する際に他の部材に接触しない位置に脆弱部が形成されることが好ましく、挿入操作の際には頭部平面部等の脆弱部以外を手や工具等で押さえつけることで脆弱部が他の部位に接触しないため破損し難く、挿入後においては外方に形成された脆弱部に力が加わり易いので、不正行為を検出し易くすることができる。
【０１９２】
遊技機Ａ１からＡ７のいずれかにおいて、前記第１及び第２挿入孔の内径は、前記第１連結部材が挿入される挿入方向手前側に位置する挿入孔の方が大きく形成されていることを特徴とする遊技機Ａ８。遊技機Ａ８によれば、第１及び第２挿入孔の内径は、第１連結部材が挿入される挿入方向手前側に位置する挿入孔の方が大きく形成されているので、第１連結部材の頭部側から硬化材料を流し込むと、硬化材料が手前側に位置する挿入孔の内側を通り奥側に位置する挿入孔まで達し易くなる。よって、第１連結部材、第１及び第２挿入孔に硬化材料が流し込まれるので、第１及び第２部材の結合が強固になるし、第１及び第２部材の結合が解除された場合の痕跡（硬化材料の白く変色する部分）を第１及び第２挿入孔にも残り易くできる。
【０１９３】
遊技機Ａ８に代えて第１及び第２挿入孔の形状は、第１連結部材が挿入されると共に硬化材料を付着する前の状態において第１連結部材の挿入方向視で挿入方向先端側に位置する部材が視認可能な（又は露出される）大きさに形成されることとしても良い。硬化材料に熱や紫外線等を照射する必要がある場合、挿入方向先端側に位置する部材に付着した硬化材料を硬化させ易くすることができる。
【０１９４】
遊技機Ａ１からＡ８のいずれかにおいて、前記第１部材に設けられる第３挿入孔と、その第３挿入孔に対応して前記第２部材に設けられる第４挿入孔と、その第４挿入孔および前記第３挿入孔に挿入されて前記第１部材と第２部材とを連結可能な第２連結部材とを備え、前記第１及び第２連結部材は、形状または色の少なくとも一方が異なるように構成されていることを特徴とする遊技機Ａ９。
【０１９５】
遊技機Ａ９によれば、第１部材の第３挿入孔および第２部材の第４挿入孔に第２連結部材が挿入されて第１及び第２部材が結合されるので、第１及び第２部材の結合が解除されて第１連結部材が利用不可になっても、第２連結部材により第１及び第２部材を結合することができる。よって、点検や修理などのために第１及び第２部材などをメーカーに返送する場合に、第２連結部材を利用することができ、返送中に部材がバラバラになったり、部材が紛失することを抑制できる。
【０１９６】
また、第１及び第２連結部材は、形状または色の少なくとも一方が異なるように構成されているので、脆弱部が設けられた第１連結部材に第２連結部材が代用されることを防止できる。よって、第１及び第２連結部材を結合する第２連結部材を備える構成であっても、複数の第１及び第２部材の組み合わせから新たな第１及び第２部材の組み合わせが製作されることを抑制できる。
【０１９７】
遊技の制御を行う制御基板を収容する基板ボックスの内部空間を形成する場合に連結される第１及び第２部材と、その第１及び第２部材を連結する第１連結部材と、その第１連結部材とは形状または色の少なくとも一方が異なると共に、前記第１及び第２部材とは異なる部材の組合せを連結する第２連結部材と、その第２連結部材と同数以下で構成され、前記第２連結部材により前記第１及び第２部材を連結可能な連結手段とを備えていることを特徴とする遊技機Ｂ０。
【０１９８】
遊技機Ｂ０によれば、制御基板を収容する内部空間は、第１部材と第２部材とが第１連結部材により連結されて形成され、その第１及び第２部材とは異なる部材の組合せが第２連結部材により連結される。そして、第２連結部材は、第１部材と第２部材とを連結手段を介して連結可能に構成されている。よって、第１連結部材による第１及び第２部材の連結が解除されても、他の部材の組合せを連結していた第２連結部材を使用して基板ボックスを再連結できるので、再連結用の部材を予め準備して遊技機に保管しておく必要も少なくなって予備用部品の配置による基板ボックス内部の視認性低下を抑制したり、部品コスト低減を図ることができるという効果がある。また、第２連結部材は、第１連結部材とは形状または色の少なくとも一方が異なるので、第２連結部材が第１連結部材として流用されることを防止できるし、第２連結部材と連結手段とは同数以下で構成され余分な第２連結部材が存在しないので、第２連結部材が市場に流通することを抑制できる。よって、不正な制御基板が収容される基板ボックスの第１及び第２部材を連結する場合に、第２連結部材が使用されていれば不正な基板ボックスであることを簡単に発見できるし、第２連結部材が市場に流通して再利用されること自体も抑制できるので、不正な制御基板が収容される第１及び第２部材が製作されることを困難にできる。
【０１９９】
なお、第２連結部材は、第１及び第２部材を覆うカバー部材を遊技機本体に対して連結するものとしても良いし、第１連結部材により連結された第１及び第２部材を取り付ける取付ベースを遊技機本体に連結するものとしても良い。どの構成であっても、第１及び第２部材を第２連結部材により再連結できるし、不正な制御基板が収容される第１及び第２部材に第２連結部材が流用されることを抑制できる。また「第１及び第２部材とは異なる部材の組合せ」とは、第１及び第２部材の少なくとも一方を第１及び第２部材とは別の部材とした部材の組合せを意味し、第１又は第２部材のいずれか一方を用いた部材の組合せを含む。また第１連結部材および第２連結部材が「連結する」とは、手作業やドライバ等の工具のみでは痕跡を残すことなく連結状態を解除することができない程度に連結することを意味する。
【０２００】
遊技の制御を行う制御基板を収容すると共に、その制御基板が収容される内部空間を第１部材と第２部材とにより形成する基板ボックスを備えた遊技機において、前記第１部材と第２部材とを連結する第１連結部材と、その第１連結部材により前記第１部材と第２部材とが連結された状態の基板ボックスに取り付けられる第３部材と、その第３部材と前記基板ボックスとを連結すると共に前記第１連結部材とは形状または色の少なくとも一方が異なる第２連結部材と、その第２連結部材と同数で構成され、前記第２連結部材により前記第１部材と第２部材とを連結可能な連結手段とを備えていることを特徴とする遊技機Ｂ１。
【０２０１】
遊技機Ｂ１によれば、基板ボックスを構成する第１部材と第２部材とは第１連結部材により連結されると共に、基板ボックスと第３部材とは第２連結部材により連結され、その第２連結部材は、第１部材と第２部材とを連結手段を介して連結可能に構成されている。よって、第１連結部材による第１及び第２部材との連結が解除されても、第２連結部材を使用して基板ボックスを再連結できるので、再連結用の部材を予め準備して遊技機に保管しておく必要も少なくなって予備用部品の配置による基板ボックス内部の視認性低下を抑制したり、部品コスト低減を図ることができるという効果がある。また、第２連結部材は、第１連結部材とは形状または色の少なくとも一方が異なるので、第２連結部材が第１連結部材として流用されることを防止できるし、第２連結部材と連結手段とは同数以下で構成され余分な第２連結部材が存在しないので、第２連結部材が市場に流通することを抑制できる。よって、不正な制御基板が収容される基板ボックスの第１及び第２部材を連結する場合に、第２連結部材が使用されていれば不正な基板ボックスであることを発見し易いし、第２連結部材が市場に流通して再利用されること自体も抑制できるので、不正な制御基板が収容される基板ボックスの製作を困難にできる。
【０２０２】
なお、第３部材は、基板ボックスを取り付ける取付ベースとしても良いし、基板ボックスを覆うカバー部材としても良いし、遊技機本体であっても良い。どの構成であっても、第１及び第２部材を第２連結部材により再連結できるし、他の基板ボックスに第２連結部材が流用されることを抑制できる。
【０２０３】
遊技機Ｂ１において、前記基板ボックスは、前記第２連結部材が挿入される挿入部と、その挿入部と前記基板ボックス本体との間を橋架すると共に前記第２連結部材による前記第３部材と基板ボックスとの連結を解除する場合に破壊される第１破壊部を備え、前記第３部材は、前記基板ボックスの挿入部に覆われると共に前記挿入部に挿入された第２連結部材が係止される係止部を備えていることを特徴とする遊技機Ｂ２。
【０２０４】
遊技機Ｂ２によれば、第２連結部材による第３部材と基板ボックスとの連結は、基板ボックスの第１破壊部を破壊しない限り解除できないと共に、第２連結部材が係止される第３部材の係止部は、基板ボックスの挿入部に覆われるので、係止部への接触を困難にできる。よって、第１破壊部を破壊せずに係止部が破壊されて、基板ボックスと第３部材との連結が痕跡無しに解除されること抑制できる。また、第１破壊部が破壊されていれば、基板ボックスの連結が解除された痕跡を確実に残すことができる。
【０２０５】
遊技機Ｂ１又はＢ２において、前記連結手段は、その連結手段と前記基板ボックス本体との間を橋架すると共に前記第２連結部材による前記第１部材と第２部材との連結を解除する場合に破壊される第２破壊部を備えていることを特徴とする遊技機Ｂ３。遊技機Ｂ３によれば、第２連結部材による第１部材と第２部材との連結は、基板ボックス本体と連結手段とを橋架する第２破壊部を破壊しない限り解除できないので、第２連結部材による第１及び第２部材の再連結が解除されることを抑制できるし、第２破壊部が破壊されていれば基板ボックスの連結が解除された痕跡を確実に残すことができる。
【０２０６】
遊技機Ｂ３において第２連結部材を挿入することによって基板ボックスと第３部材とを連結可能な挿入部を基板ボックスの一端側に複数有し、連結手段は、その一端側であって複数の挿入部の間に設けられていることが好ましい。同一の連結部材によって連結される部位が連結手段の両側に並んで配置されることで連結手段に使用される連結部材が第２連結部材であることを視覚的にわかり易く示すことができる。
【０２０７】
遊技機Ｂ１からＢ３のいずれかにおいて、前記第１部材に設けられ、前記第１連結部材が挿入される第１挿入孔と、その第１挿入孔に対応して前記第２部材に設けられ、前記１連結部材が挿入される第２挿入孔とを備え、前記第１連結部材は、前記１及び第２挿入孔に挿入される軸部と、その軸部に連接されると共に脆弱部が設けられる頭部とを備え、前記第１及び第２挿入孔に前記第１連結部材の軸部が挿入された状態で、前記第１連結部材の頭部側から硬化材料が流し込まれて前記第１部材と第２部材とが結合されることを特徴とする遊技機Ｂ４。
【０２０８】
遊技機Ｂ４によれば、次の効果を奏する。即ち、第１部材の第１挿入孔および第２部材の第２挿入孔に第１連結部材の軸部が挿入された状態で、第１連結部材の頭部側から硬化材料が流し込まれて第１及び第２部材が連結される。また、第１連結部材には、脆弱部が設けられているので、第１及び第２部材が硬化材料により結合された状態から第１連結部材を取り出そうとすると、脆弱部が破壊されて無傷で取り出すことができない。よって、第２連結部材を第１連結部材に流用できないだけでなく、第１連結部材の無傷での取り出しも抑制できるので、第２連結部材による第１及び第２部材の再連結を簡単に行える構成を維持しつつ、他の基板ボックスに第１及び第２連結部材が流用されることを抑制できる。
【０２０９】
遊技機Ｂ４において、前記脆弱部は、前記第１連結部材の頭部の軸心を通る中央部の径方向外側に設けられ、前記中央部の軸心方向の厚みより薄く形成されていることを特徴とする遊技機Ｂ５。遊技機Ｂ５によれば、第１連結部材の頭部の脆弱部は、その頭部の軸心を通る中央部の厚みより薄く形成されているので、第１連結部材を取り外そうとした場合に脆弱部が破壊され易くなり、第１連結部材が再利用されることをより抑制できる。
【０２１０】
遊技機Ｂ４又はＢ５において、前記脆弱部は、前記第１連結部材の頭部の軸心を通る中央部の径方向外側に延設される複数の突出片で構成されていることを特徴とする遊技機Ｂ６。遊技機Ｂ６によれば、第１連結部材の頭部の脆弱部は、第１連結部材の頭部の軸心を通る中央部の径方向外側に延設される複数の突出片で構成されているので、第１連結部材を取り外そうとすると、突出片が中央部との連接部分が折れ易くなり、第１連結部材が再利用されることを抑制できる。
【０２１１】
遊技機Ｂ４からＢ６のいずれかにおいて、前記第１及び第２部材の一方は、前記第１連結部材の頭部が収容される凹状の収容部を備え、前記脆弱部には、前記第１連結部材の頭部の下面であって前記収容部の底面に対向する面に溝が形成されていることを特徴とする遊技機Ｂ７。遊技機Ｂ７によれば、第１連結部材の頭部の脆弱部は、その頭部の下面に溝が形成されているので、第１連結部材を取り外そうとすると、溝部分を基準に折れ易くなり、第１連結部材が再利用されることを抑制できる。また、脆弱部の溝は、頭部が収容される収容部の底面に対向する面に形成されているので、硬化材料が流し込まれると溝内にも硬化材料が流れ込む。よって、第１連結部材の頭部と収容部との間で硬化材料の当接面積が多くなるので、第１連結部材と収容部とを強固に結合できる。
【０２１２】
遊技機Ｂ７において、前記収容部には、その側壁の一部に平面状の収容平面部が形成されており、前記第１連結部材の頭部には、前記収容平面部に対応した平面状の頭部平面部が形成されていることを特徴とする遊技機Ｂ８。遊技機Ｂ８によれば、収容部には、その側壁の一部に平面状の収容平面部が形成され、第１連結部材の頭部には、収容平面部に対応した平面状の頭部平面部が形成されているので、両平面部を合わせて第１連結部材を挿入することで、収容部に対する第１連結部材の位置決めを簡単に行うことができる。また、第１連結部材の形状が頭部平面部を有することで複雑になるので、第１連結部材の金型製作の費用などが高価になり、第１連結部材の不正な製作を抑制できる。
【０２１３】
遊技機Ｂ５からＢ８のいずれかにおいて、前記第１及び第２挿入孔の内径は、前記第１連結部材が挿入される挿入方向手前側に位置する挿入孔の方が大きく形成されていることを特徴とする遊技機Ｂ９。遊技機Ｂ９によれば、第１及び第２挿入孔の内径は、第１連結部材が挿入される挿入方向手前側に位置する挿入孔の方が大きく形成されているので、第１連結部材の頭部側から硬化材料を流し込むと、硬化材料が手前側に位置する挿入孔の内側を通り奥側に位置する挿入孔まで達し易くなる。よって、第１連結部材、第１及び第２挿入孔に硬化材料が流し込まれるので、第１及び第２部材の結合が強固になるし、第１及び第２部材の結合が解除された場合の痕跡（硬化材料の白く変色する部分）を第１及び第２挿入孔に残り易くできる。
【０２１４】
第１挿入孔と、その第１挿入孔が形成される第１挿入部とを有する第１部材と、その第１部材の第１挿入孔に対応する第２挿入孔と、その第２挿入孔が形成される第２挿入部とを有する第２部材と、その第２部材の第２挿入孔および前記第１部材の第１挿入孔に挿入されて、前記第１及び第２部材を連結する第１連結部材と、その第１連結部材により連結される前記第１又は第２部材の少なくとも一方に取着され、前記第１又は第２挿入部の少なくとも一方を囲うように配設される補強部材とを備えていることを特徴とする遊技機Ｃ１。
【０２１５】
遊技機Ｃ１によれば、第１部材の第１挿入部に形成される第１挿入孔と、第２部材の第２挿入部に形成される第２挿入孔とに第１連結部材が挿入されて第１及び第２部材が連結され、第１挿入部または第２挿入部の少なくとも一方が補強部材により囲まれるので、第１及び第２挿入部近傍を撓ませようとしても、補強部材により撓みを抑制できる。よって、例えば、第１及び第２部材により基板ボックスを構成する場合には、第１及び第２部材を撓ませて、第１及び第２挿入部を破壊することなく第１連結部材による連結を解除する不正行為や、第１部材と第２部材との合わせ面から工具などを差し込んで行われる不正行為が行われることを抑制できる。
【０２１６】
また、例えば、第１部材を基板ボックスとし、第２部材を基板ボックスを取り付ける取付ベースとした場合には、取付ベースと基板ボックスとの合わせ面の撓みを抑制できるので、第１及び第２挿入部を破壊することなく基板ボックスが取付ベースから取り外されることを抑制できる。
【０２１７】
なお、補強部材が第１又は第２挿入部の少なくとも一方を囲うように配設されるとは、第１又は第２挿入部の一方側に補強部材が配設されることを含む概念であり、補強部材が第１又は第２挿入部の一方側に設けられ、第１又は第２挿入部に近い端縁が凹状に切欠いて形成されることによって囲うようにされている場合を含む。また、補強部材は、第１又は第２挿入部の少なくとも一方に対して三方を囲うコの字状に形成することが好ましく、四方を囲う形状とすることが好適である。
【０２１８】
Ｃ１において、前記第１部材は、遊技の制御を行う制御基板が収容される基板ボックスであると共に、前記第２部材は、前記基板ボックスが一方向にスライド移動して着脱される取付ベースであり、前記第１及び第２挿入部は、前記基板ボックスの前記取付ベースへの装着方向先端側にそれぞれ設けられていることを特徴とする遊技機Ｃ２。
【０２１９】
Ｃ２によれば、第１及び第２挿入部は、基板ボックスの取付ベースへの装着方向先端側に設けられているので、操作者が基板ボックスを脱着操作する位置に対して、第１及び第２挿入部を奥側に位置させることができる。第１及び第２挿入部が手前側にあると、第１及び第２挿入部が操作者側に露出するので不正行為者により操作がし易くなるが、第１及び第２挿入部は奥側に位置するので、不正行為者による不正行為の操作を困難にできる。
【０２２０】
遊技機Ｃ２において、前記第２挿入部は、前記基板ボックスとの対向面であって前記取付ベースの底面に配設され、前記補強部材は、前記第２挿入部を囲むように前記第２部材の底面に取り付けられていることを特徴とする遊技機Ｃ３。遊技機Ｃ３によれば、取付ベースの底面に第２挿入部が配設され、その第２挿入部を囲むように補強部材が取り付けられるので、第２挿入部および補強部材は基板ボックスに覆われることになり、第１連結部材と第２挿入部との連結解除や補強部材を取り外すなどの不正行為を困難にできる。
【０２２１】
遊技機Ｃ３において、前記補強部材は、前記取付ベースの底面に取り付けられる底板部と、その底板部から立設されると共に前記基板ボックスの装着方向先端側に位置する側板部と、その側板部に形成される孔または突起とを有して構成され、前記基板ボックスには、前記装着方向先端側に、前記孔内に入り込む突起または前記側板部の突起が入り込む孔が形成されていることを特徴とする遊技機Ｃ４。
【０２２２】
遊技機Ｃ４によれば、補強部材は、基板ボックスの装着方向先端側に位置する側板部に孔または突起が形成され、基板ボックスが装着された場合には、側板部の孔または突起に基板ボックスの突起または孔が入り込むので、基板ボックスを取付ベースから離反する方向に撓ませようとしても、孔と突起とにより撓みを抑制できる。なお、遊技機Ｃ４における孔は、貫通する孔であっても、非貫通の孔であっても良い。
【０２２３】
遊技機Ｃ２からＣ４のいずれかにおいて、前記取付ベースは、遊技機本体に取り付けられるベース本体と、そのベース本体に軸着され前記ベース本体に対して鋭角となる範囲で揺動可能に構成される揺動部材とを備え、前記補強部材は、前記ベース本体との対向面側から固定部材が挿入された状態で前記揺動部材に固定されていることを特徴とする遊技機Ｃ５。
【０２２４】
遊技機Ｃ５によれば、遊技機本体に取り付けられるベース本体に揺動部材が軸着されるので、基板ボックスを揺動させつつ点検やスライド移動させて取り外しができ、遊技機内の狭い領域であっても、点検や修理の操作性を向上できる。また、揺動部材は、ベース本体に対して鋭角となる範囲で揺動し、補強部材が、ベース本体との対向面側から固定部材が挿入された状態で揺動部材に固定されているので、揺動部材とベース本体との間にドライバーなどの工具が入り辛くなり、補強部材の不正な取り外しを抑制できる。
【０２２５】
遊技機Ｃ５において、前記補強部材は、前記揺動部材と共に前記ベース本体に軸着されることを特徴とする遊技機Ｃ６。遊技機Ｃ６によれば、補強部材は、揺動部材と共にベース本体に軸着されるので、揺動部材への固定部材による固定と、ベース本体に対する固定との２つで固定でき、補強部材を強固に固定できる。また、一般的に、補強部材は、補強を目的とするので硬い材質（例えば、金属など）で形成される。よって、揺動部材と共にベース本体に軸着された場合には、揺動部材のベース板との軸着部に対する補強も兼ねることができる。
【０２２６】
遊技機Ｃ２からＣ６のいずれかにおいて、前記基板ボックスは、ボックス蓋とボックスベースとを第２連結部材により連結して構成され、前記取付ベースへの装着方向先端側となる辺の中央部に前記第１連結部材が挿入される第１挿入部が設けられると共に、その第１挿入部の両端に前記第２連結部材が挿入される第３挿入部が設けられており、前記補強部材は、前記装着方向先端側となる辺に略平行となる横方向の幅が、前記第１挿入部の両端に設けられる第３挿入部を含む大きさに構成されていることを特徴とする遊技機Ｃ７。
【０２２７】
遊技機Ｃ７によれば、ボックス蓋とボックスベースとを連結する第２連結部材が挿入される第３挿入部は、第１連結部材が挿入される第１挿入部の両端に設けられ、補強部材の横幅は、第３挿入部を含む大きさに形成されているので、第２連結部材の挿入方向奥側も補強部材により覆うことができる。よって、第１及び第２挿入部近傍の撓みを補強部材により抑制しつつ、第３挿入部近傍の撓みも抑制できるので、基板ボックスの取り外し及び基板ボックスの開封を困難にできる。
【０２２８】
遊技機Ｃ７において、前記第３挿入部は、前記基板ボックスとの間が薄板状の連結部材により連結されていることを特徴とする遊技機Ｃ８。遊技機Ｃ８によれば、次の効果を奏する。即ち、第３挿入部は、基板ボックスとの間が薄板状の連結部材により連結されているので、第３挿入部に対して力が作用すると連結部材が破壊され易くなる。よって、第２連結部材による連結を不正に解除しようとすると、連結部材が破壊されるので、不正行為が行われた可能性があることを発見し易くできる。
【０２２９】
遊技機Ｃ８において、前記連結部材は、前記基板ボックスの前記横方向の両側壁と前記第３挿入部とを少なくとも連結していることを特徴とする遊技機Ｃ９。Ｃ９によれば、連結部材は、基板ボックスの横方向の両側壁と第３挿入部とを少なくとも連結しているので、基板ボックスをベース部材から取り外したり、基板ボックスを撓ませようとすると、基板ボックスの側壁に力が作用して連結部材が破壊され易くなり、不正行為が行われたことを発見し易くできる。
【０２３０】
遊技機Ｃ１からＣ９のいずれかにおいて、前記第２連結部材は、前記第３挿入部に挿入される軸部と、その軸部に連接され脆弱部が設けられる頭部とを有して構成され、前記第３挿入部に前記第２連結部材が挿入された状態で、前記第２連結部材の頭部側から硬化材料が流し込まれて前記基板ボックスを結合するものであることを特徴とする遊技機Ｃ１０。遊技機Ｃ１０によれば、次の効果を奏する。第１挿入部に第２連結部材の軸部が挿入された状態で、第２連結部材の頭部側から硬化材料が流し込まれて基板ボックスが連結され、第２連結部材の頭部には脆弱部が設けられているので、基板ボックスの連結を解除しようとすると脆弱部が破壊される。よって、第２連結部材には、不正に開封された痕跡が残るので、不正行為の発生を抑制できるし、不正行為が行われた場合にはその不正行為を発見できる。また、第２連結部材の頭部側から硬化材料が流し込まれるので、第３挿入部にも硬化材料が流れ込み易くなる。一般的に、硬化材料は、硬化した後に取り除かれると白く変色するので、基板ボックスの連結を解除しようとすると、第３挿入部および第２連結部材に白く変色する部分が存在する。よって、第２連結部材の頭部が破壊されることに加え、基板ボックスにも開封の痕跡が残るので、不正行為の発生を抑制できる。
【０２３１】
遊技機Ｃ１０において、前記脆弱部は、前記第２連結部材の頭部の軸心を通る中央部の径方向外側に設けられ、前記中央部の軸心方向の厚みより薄く形成されていることを特徴とする遊技機Ｃ１１。遊技機Ｃ１１によれば、第２連結部材の頭部の脆弱部は、その頭部の軸心を通る中央部の厚みより薄く形成されているので、第２連結部材を取り外そうとした場合に脆弱部が破壊され易くなり、第１連結部材が再利用されることを抑制できる。
【０２３２】
遊技機Ｃ１０又はＣ１１において、前記脆弱部は、前記第２連結部材の頭部の軸心を通る中央部の径方向外側に延設される複数の突出片で構成されていることを特徴とする遊技機Ｃ１２。遊技機Ｃ１２によれば、第２連結部材の頭部の脆弱部は、第２連結部材の頭部の軸心を通る中央部の径方向外側に延設される複数の突出片で構成されているので、第２連結部材を取り外そうとすると、突出片が中央部との連接部分が折れ易くなり、第２連結部材が再利用されることを抑制できる。
【０２３３】
遊技機Ｃ１０からＣ１２のいずれかにおいて、前記第３挿入部は、前記第２連結部材の頭部が収容される凹状の収容部を備え、前記脆弱部には、前記第２連結部材の頭部の下面であって前記収容部の底面に対向する面に溝が形成されていることを特徴とする遊技機Ｃ１３。遊技機Ｃ１３によれば、第２連結部材の頭部の脆弱部は、その頭部の下面に溝が形成されているので、第２連結部材を取り外そうとすると、溝部分を基準に折れ易くなり、第２連結部材が再利用されることを抑制できる。また、脆弱部の溝は、頭部が収容される収容部の底面に対向する面に形成されているので、硬化材料が流し込まれると溝内にも硬化材料が流れ込む。よって、第２連結部材の頭部と収容部との間で硬化材料の当接面積が多くなるので、第２連結部材と収容部とを強固に結合できる。
【０２３４】
遊技機Ｃ１３において、前記収容部には、その側壁の一部に平面状の収容平面部が形成されており、前記第２連結部材の頭部には、前記収容平面部に対応した平面状の頭部平面部が形成されていることを特徴とする遊技機Ｃ１４。遊技機Ｃ１４によれば、収容部には、その側壁の一部に平面状の収容平面部が形成され、第２連結部材の頭部には、収容平面部に対応した平面状の頭部平面部が形成されているので、両平面部を合わせて第２連結部材を挿入することで、収容部に対する第２連結部材の位置決めを簡単に行うことができる。また、第１連結部材の形状が頭部平面部を有することで複雑になるので、第１連結部材の金型製作の費用などが高価になり、第２連結部材の不正な製作を抑制できる。
【０２３５】
遊技機Ｃ１０からＣ１４のいずれかにおいて、前記第３挿入部は、前記ボックス蓋に設けられる第１挿入孔と、前記ボックスベースに設けられる第２挿入孔とを有し、前記第１及び第２挿入孔の内径は、前記第２連結部材が挿入される挿入方向手前側に位置する挿入孔の方が大きく形成されていることを特徴とする遊技機Ｃ１５。遊技機Ｃ１５によれば、第１及び第２挿入孔の内径は、第２連結部材が挿入される挿入方向手前側に位置する挿入孔の方が大きく形成されているので、第２連結部材の頭部側から硬化材料を流し込むと、硬化材料が手前側に位置する挿入孔の内側を通り奥側に位置する挿入孔まで達し易くなる。よって、第２連結部材、第１及び第２挿入孔に硬化材料が流し込まれるので、ボックス蓋とボックスベースとの結合が強固になるし、ボックス蓋とボックスベースとの結合が解除された場合の痕跡（硬化材料の白く変色する部分）を第１及び第２挿入孔に残り易くできる。
【０２３６】
遊技機Ｃ１において、前記第１部材は、遊技の制御を行う制御基板が収容される基板ボックスを構成するボックス蓋であると共に、前記第２部材は、前記基板ボックスを構成するボックスベースであることを特徴とする遊技機Ｃ１６。遊技機Ｃ１６によれば、第１部材は、遊技の制御を行う制御基板が収容される基板ボックスを構成するボックス蓋であり、第２部材は、基板ボックスを構成するボックスベースであるので、基板ボックスの撓みを補強部材により抑制でき、制御基板に対する不正行為を抑制できるという効果がある。
【０２３７】
遊技機Ａ１からＡ９、Ｂ０からＢ９及びＣ１からＣ１６のいずれかにおいて、前記遊技機はパチンコ遊技機であることを特徴とする遊技機Ｄ１。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２３８】
遊技機Ａ１からＡ９、Ｂ０からＢ９及びＣ１からＣ１６のいずれかにおいて、前記遊技機はスロットマシンであることを特徴とする遊技機Ｄ２。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２３９】
遊技機Ａ１からＡ９、Ｂ０からＢ９及びＣ１からＣ１６のいずれかにおいて、前記遊技機はパチンコ遊技機とスロットマシンとを融合させたものであることを特徴とする遊技機Ｄ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【０２４０】
遊技機Ａ１からＡ９、Ｂ０からＢ９、Ｃ１からＣ１６及びＤ１からＤ３として記載の特長的な構成の一部または全部を組み合わせたことを特徴とする遊技機。各遊技機として記載の効果を奏する遊技機を提供することができる。
【符号の説明】
【０２４１】
１０          スロットマシン（遊技機）
２０１        基板ボックス
２０２        取付ベース（第３部材）
２１１        ボックスベース（第２又は第１部材）
２１２        ボックス蓋（第１又は第２部材）
２１３        主基板（制御基板）
２３１        ベース側返送用封印部（連結手段の一部）
２５４        蓋側返送用封印部（連結手段の一部）
２５５        蓋側結合部（挿入部）
２５９        結合部材（第２連結部材）
２６０        封印部材（第１連結部材）
３０６        取付側結合部（係止部）
４０７        連結部（第１及び第２破壊部）
４２４        貫通孔（第１又は第２挿入孔）
４２８        貫通孔（第２又は第１挿入孔）
【図１】
2010233778.tif 000003
【図２】
2010233778.tif 000004
【図３】
2010233778.tif 000005
【図４】
2010233778.tif 000006
【図５】
2010233778.tif 000007
【図６】
2010233778.tif 000008
【図７】
2010233778.tif 000009
【図８】
2010233778.tif 000010
【図９】
2010233778.tif 000011
【図１０】
2010233778.tif 000012
【図１１】
2010233778.tif 000013
【図１２】
2010233778.tif 000014
【図１３】
2010233778.tif 000015
【図１４】
2010233778.tif 000016
【図１５】
2010233778.tif 000017
【図１６】
2010233778.tif 000018
【図１７】
2010233778.tif 000019